(57)【要約】  紫外線光を使用してプロセス流体を処理するシステム及び方法が提供される。このシステムは、壁、入口パイプ、及び壁の側部に沿って流体にブラシをかけるよう構成された少なくとも１本のブラシを有し、流体膜が壁に沿って流れる際に紫外線光に露出される流体上に膜を生成する。このシステム及び方法は、壁に流体を提供するための少なくとも１つのチャネルを、さらに利用し得る。【選択図】図１
2021532951.tif 000002
【特許請求の範囲】
【請求項１】
紫外線光を使用してプロセス流体を処理するシステムであって、
流体を前記システムに提供するよう構成された、流体入口と、
薄い流体厚を生成するよう構成された、乱流機構と、
紫外線ランプと
を備える、システム。
【請求項２】
前記乱流機構は少なくとも２枚のプレートを含み得る、請求項１に記載のシステム。
【請求項３】
少なくとも２枚の前記プレートは、紫外線範囲において電磁信号を生成するよう構成され得る、請求項２に記載のシステム。
【請求項４】
紫外線光を使用してプロセス流体を処理するシステムであって、
流体を壁の内側に提供するよう構成された、流体入口と、
前記壁の内側に沿って回転させるよう構成され、前記壁の内側に沿って薄い流体膜を生成するよう構成された、乱流機構と
を含む、システム。
【請求項５】
前記乱流機構は、流体中に高乱流を生成するようさらに構成される、請求項４に記載のシステム。
【請求項６】
前記乱流機構は、ブラシ、ワイパー、及び第２の壁のうち少なくとも１つから構成され得る、請求項４に記載のシステム。
【請求項７】
紫外線光源をさらに備える、請求項４に記載のシステム。
【請求項８】
流体が前記壁の内側に沿って動く大半の時間の間、前記壁の内側にわたって斜めに動く均一な流体膜を生成するようにさらに構成される、請求項４に記載のシステム。
【請求項９】
紫外線光を使用してプロセス流体を処理するシステムであって、
内側を有する壁と、
流体入口パイプと、
前記流体入口パイプに接続され、かつ流体を前記壁の内側に提供するよう構成された、少なくとも１つのチャネルと、
前記壁に平行に位置付けられ、かつ前記壁の内側にブラシをかけるよう構成された、少なくとも１本のブラシと、
流体が前記壁の内側を流れ落ちる際に、流体に向けられるよう構成された、少なくとも１つの紫外線ランプと
を備え、
少なくとも１つの前記チャネルの各々は、前記壁の内側と連通して、流体が前記壁の内側に流れるのを可能にし、
少なくとも１本の前記ブラシは、前記壁の内側に沿って動くよう構成され、前記壁の内側に対して流体にブラシをかけ、流体が少なくとも１つの前記チャネルを流れ落ちるときに流体膜を生成する、システム。
【請求項１０】
流体が前記壁の内側にある時間の大半の間、流体は均一の膜を形成する、請求項９に記載のシステム。
【請求項１１】
前記壁はシリンダを形成する、請求項９に記載のシステム。
【請求項１２】
前記壁は透明の物質から構成される、請求項９に記載のシステム。
【請求項１３】
前記壁は、ガラス、プレキシガラス、または透明プラスチックから構成される、請求項９に記載のシステム。
【請求項１４】
前記膜が前記壁の内側の大半を流れ落ちる際に、前記膜は０．１ミリメートル未満の幅である、請求項１０に記載のシステム。
【請求項１５】
少なくとも１本の前記ブラシを動かすよう構成されたモータをさらに含む、請求項９に記載のシステム。
【請求項１６】
少なくとも１本の前記ブラシは、前記壁の内側の周りを回転する、請求項１２に記載のシステム。
【請求項１７】
少なくとも１つの前記紫外線ランプは、前記壁によって形成されたシリンダの内側に位置付けられる、請求項１２に記載のシステム。
【請求項１８】
少なくとも１つの前記紫外線ランプは、前記壁の内側に構成された第２の壁によって、流体の跳ね返りから防護される、請求項１７に記載のシステム。
【請求項１９】
少なくとも１つの前記チャネルは、少なくとも１本の前記ブラシのための支持構造に接続され、それによって少なくとも１つの前記チャネルは、流体が少なくとも１本の前記ブラシの前に流れるのを可能にするよう構成される、請求項９に記載のシステム。
【請求項２０】
少なくとも１本の前記ブラシは、互いから等間隔に位置付けられた、少なくとも２本のブラシを含む、請求項１２に記載のシステム。
【請求項２１】
少なくとも２本の前記ブラシは、モータによって回転する中心軸に接続される、請求項２０に記載のシステム。
【請求項２２】
少なくとも１つの前記チャネルは、前記中心軸に接続され、かつ流体が少なくとも２本の前記ブラシの各々の前に、前記壁の内側に直接流れるよう構成される、請求項２１に記載のシステム。
【請求項２３】
前記流体入口パイプからの流体フローを、少なくとも１つの前記チャネルへ接続するよう構成されたトラフをさらに備える、請求項９に記載のシステム。
【請求項２４】
トラフは、少なくとも１本の前記ブラシと共に動くよう構成される、請求項１７に記載のシステム。
【請求項２５】
少なくとも１つの前記チャネルは、前記壁の内側の上部に沿って、互いに対して等距離の固定位置にあるよう構成される、請求項９に記載のシステム。
【請求項２６】
少なくとも１本の前記ブラシは、ポリテトラフルオロエチレンで構成される、請求項９に記載のシステム。
【請求項２７】
少なくとも１本の前記ブラシは、複数の剛毛をさらに備える、請求項９に記載のシステム。
【請求項２８】
前記剛毛は、互いから０．０２〜０．０３インチ離して構成される、請求項２７に記載のシステム。
【請求項２９】
前記剛毛は、０．０１５〜０．０３インチの径を有する、請求項２７に記載のシステム。
【請求項３０】
紫外線光を使用してプロセス流体を処理する方法であって、
内側を有する壁を提供するステップと、
少なくとも１つのチャネルに接続された入口パイプによって、流体を前記壁の内側に提供するステップと、
少なくとも１本のブラシを用いて、前記壁の内側に対して流体にブラシをかけ、前記壁の内側に沿って流体膜を生成するステップと、
前記壁の近くに少なくとも１つの紫外線光を提供し、それによって流体が前記壁の内側に対してブラシをかけられる際に、前記紫外線光が流体に向けられるよう構成されるステップと
を含み、
少なくとも１つの前記チャネルは、流体を前記壁の内側に提供し、それによって流体が前記壁の内側に流れ落ち、
少なくとも１本の前記ブラシは、前記壁の長手方向側に平行に位置付けられる、方法。
【請求項３１】
流体が前記壁の内側にある時間の大半の間、前記流体膜は均一である、請求項３０に記載の方法。
【請求項３２】
前記壁はシリンダを形成する、請求項３０に記載の方法。
【請求項３３】
前記壁は透明の物質から構成される、請求項３０に記載の方法。
【請求項３４】
前記流体膜は０．１ミリメートル未満の幅である、請求項３２に記載の方法。
【請求項３５】
少なくとも１本の前記ブラシを、モータを使用して前記壁の内側に沿って動かすステップをさらに含む、請求項３０に記載の方法。
【請求項３６】
少なくとも１つの前記紫外線光は、前記シリンダの内側に位置付けられる、請求項３２に記載の方法。
【請求項３７】
少なくとも１つの前記紫外線光は、第２の壁によって流体から防護される、請求項３０に記載の方法。
【請求項３８】
少なくとも１本の前記ブラシを、モータを使用して前記壁の内側に沿って回転させるステップをさらに含む、請求項３２に記載の方法。
【請求項３９】
少なくとも１本の前記ブラシは、前記モータによって回転する中心軸に接続される、請求項３８に記載の方法。
【請求項４０】
前記ブラシの前の前記壁に沿って少なくとも１つの前記チャネルを動かし、それによって流体が、少なくとも１本の前記ブラシの前の、前記壁の内側に提供されるステップをさらに含む、請求項３０に記載の方法。
【請求項４１】
前記入口パイプから流体を集積するよう構成されたトラフによって、流体を少なくとも１つの前記チャネルに提供するステップをさらに含む、請求項４０に記載の方法。
【請求項４２】
前記トラフは、少なくとも１本の前記ブラシと共に動くよう構成される、請求項４１に記載の方法。
【請求項４３】
少なくとも１本の前記ブラシは、少なくとも２本のブラシを含む、請求項３０に記載の方法。
【請求項４４】
少なくとも２本の前記ブラシは、前記壁の内側に沿って互いから等間隔で提供される、請求項４３に記載の方法。
【請求項４５】
少なくとも１つの前記チャネルは、内壁の上部に沿って、互いに対して等距離になるよう構成される、請求項３０に記載の方法。
【請求項４６】
少なくとも１本の前記ブラシは、剛毛をさらに含む、請求項３０に記載の方法。
【請求項４７】
剛毛は、０．０１５〜０．０３インチの径、及び互いから０．０２〜０．０３インチ離して構成される、請求項４３に記載の方法。
【発明の詳細な説明】
【技術分野】
【０００１】
本開示は、詳細にはプロセス流体のシステム及び方法に向けられる。具体的には、本発明は、プロセス流体における有害な有機体を不活性化することに向けられる。
【背景技術】
【０００２】
流体中の有害な有機体を不活性化するための、１つの方法は、紫外線照射（本明細書では「ＵＶ光」と言及する場合がある）に露出することである。ＵＶ光が流体を照射すると、露出は、バクテリア、ウィルス、及び他の微生物を死滅または不活性化させる。しかしＵＶ光への長い露出は、感覚受容性及び栄養を劣化させることになる。熱処理などの他の方法は同様の問題を有する。なぜなら、流体への十分な熱は微生物を死滅させるが、栄養及び適切な色素、ならびに好適な香りも破壊するからである。この破壊は多くの流体にとって望ましくない。
【０００３】
例えばＵＶ波長の通過に対する抵抗性が低い流体など、透明または淡色の流体に対するＵＶ光処理は、これらのタイプの流体中における微生物を減少させるための効果的な方法である場合がある。なぜなら、ＵＶ光は容易に流体に貫入し、ＵＶ光に長く露出させることなく、微生物の高い対数減少を生じさせるからである。不透明及び／または濃色の流体は、効果的に処理することがより困難である。従来のＵＶ光処理は、これら濃色の流体の僅かな部分にしか貫入しない。この課題に取り組むため、非常に大きい乱流及び露出が、淡色かまたは透明の流体と同様の、微生物の高い対数減少を生じさせるために使用される。いくつかの事例において、濃色の流体は、微生物の高い対数減少を実現する前に数千回ＵＶ光に露出させなければならない。これは、流体の感覚受容性及び栄養を大幅に劣化させる結果となる。
【０００４】
加えて、流体のＵＶ光処理は、ＵＶ光を流体から分離する、石英またはＴｅｆｌｏｎ（登録商標）（または類似の特性を有する材料）等の材料の層を用いて実施されることが多い。これは、ＵＶ光を流体から分離する材料の表面上に、ミネラル及び生体膜を堆積させることが多く、堆積物によって遮断されるＵＶ光のレベルに依拠して、流体中へのＵＶ光の貫入を減少または遮断し、ＵＶ処理を幾分または完全に無効にする。これらの堆積物は流体フローも遮断する場合がある。特に、流体フローが乱流を増加させるのを制限される場合、生産が再開できる前に、システムの全セクションを交換するか、または洗浄を要することが多い。
【発明の概要】
【発明が解決しようとする課題】
【０００５】
したがって、大幅な栄養または感覚感受性を劣化させることなく、かつシステム内でＵＶ光が流体に貫入するのを妨げることなく、流体中の微生物の高い対数減少をもたらす処理システムを用いると、特に透明または淡色ではないプロセス流体に対する改善となるだろう。
【課題を解決するための手段】
【０００６】
流体を処理するためのシステム及び方法が、本明細書で説明される。１つの例示的な実施形態において、システムは紫外線光源及び容器を含む。
【０００７】
本開示の利点及び特徴は、以下の説明及び添付の特許請求の範囲から、より明確となろう。または以降で記載される本開示の実現によって教示され得る。
【図面の簡単な説明】
【０００８】
【図１】本開示の実施形態によるシステムの縦断図である。
【図２】本開示の実施形態によるシステムの上面図である。
【図３】本開示の実施形態によるシステムの上断面図である。
【図４】本明細書で開示するシステムの一部の、壁、チャネル、及びある長さのブラシを示す図である。
【図５】本明細書で開示するシステムの一部の、ある長さのブラシを示す図である。
【図６】本開示の実施形態によるシステムを示す図である。
【図７】本明細書で開示するシステムの一部の、ノズルを示す図である。
【図８】本開示の実施形態による冷却ＵＶシステムを示す図である。
【図９】本開示の実施形態によるシステムを示す図である。
【図１０】本開示の実施形態によるシステムを示す図である。
【図１１】本開示の実施形態によるシステムを示す図である。
【発明を実施するための形態】
【０００９】
以下で説明する、紫外線光を使用してプロセス流体を処理するシステム及び方法は、濃色の流体を含む流体を処理するシステム、望ましくは流体が感覚感受性及び栄養をほとんど劣化させずに、微生物の高い対数減少をもたらすシステムを可能にする。
【００１０】
本開示に従った関連の原理の理解を促進させるために、本明細書で説明する実施形態を参照し、特定の言語を使用して説明する。しかし、それによって開示の範囲を限定することは意図しないことを理解されたい。本明細書で例示される発明の特徴の、任意の変化及びさらなる変更、ならびに、関連分野の当業者及び本開示を所有する当業者が通常思い付く、本明細書で例示される開示の原理の追加的な適用は、主張する開示の範囲内であると考慮されるべきである。
【００１１】
本システム及び方法を開示かつ説明する前に、本開示は、本明細書で開示される特定の構成、プロセスステップ、及び材料に限定されず、したがって構成、プロセスステップ、及び材料が幾分変化し得ることを、理解されたい。本明細書で使用する専門用語は、特定の実施形態を説明するためのみに使用され、限定するように意図されない。なぜなら本開示の範囲は、添付の特許請求の範囲、及びその同等物によってのみ限定されるからである。
【００１２】
本明細書及び添付の特許請求の範囲に使用される、単数形「１つの（ａ、ａｎ）」及び「その（ｔｈｅ）」は、文脈が別途明確に示さない限り、複数形を含むことに留意しなければならない。
【００１３】
本開示の説明及び請求において、以下の専門用語は、下記の記載の定義に従って使用される。
【００１４】
本明細書で使用される用語「備える（ｃｏｍｐｒｉｓｉｎｇ）」、「含む（ｉｎｃｌｕｄｉｎｇ）」、「包含する（ｃｏｎｔａｉｎｉｎｇ）」、「〜を特徴とする（ｃｈａｒａｃｔｅｒｉｚｅｄ  ｂｙ）」、及びそれらの文法的同等語は、包括的すなわちオープンエンドの用語であり、追加、列挙されない要素または方法ステップを除外しない。
【００１５】
本明細書で使用されるフレーズ「〜から成る（ｃｏｎｓｉｓｔｉｎｇ  ｏｆ）」及びその文法的同等語は、特許請求の範囲に明記されない任意の要素、ステップ、または成分を除外する。
【００１６】
本明細書で使用されるフレーズ「実質的に〜から成る（ｃｏｎｓｉｓｔｉｎｇ  ｅｓｓｅｎｔｉａｌｌｙ  ｏｆ）」及びその文法的同等語は、特許請求の範囲を、特定の材料またはステップ、及び請求する開示の基本的かつ新しい特徴に実質的に影響を与えないものに限定する。
【００１７】
用語「重量パーセント」、「重量によるパーセント」、及び「重量％」は全て、組成物の重量によって除算した構成物質の重量を１００で乗算して、構成物質の濃度を示す。本明細書で示される重量パーセンテージは、１〜２、２〜３、１〜３の範囲、及びその中の全ての値を内部に含むよう考慮されるものとする。したがって、重量パーセンテージが１０である場合、これは７及び１３、ならびにそれらの間の全ての値を含み得る。
【００１８】
本開示は、微生物を減少させる一方で、流体の感覚感受性及び栄養特性を大きく損なうことなく、紫外線（ＵＶ）光を使用して流体を処理するシステム及び方法を説明する。
【００１９】
本発明の構成は、透明、不透明、または濃色の流体を含む様々な特性の流体に対して意図され得る。特に、あまり光を通さない流体に対して有用である。サプリメント、ジュース、ミルク、または人もしくは動物が消費する他の流体など、栄養流体が対象にされる。医療及び／または美容の行為、ならびに実施のための流体も、本明細書で開示される処理のシステム及び方法から利益となり得る。ＵＶ光に対する長い露出によって、容易にダメージを受ける感覚感受性、及び他の特性を維持するのが望ましく、かつ内部に存在する微生物を減少させることも望ましい任意の流体は、本明細書で開示されるシステム及び方法を使用する処理から利益を受け得る。
【００２０】
全体的に本発明は、流体中の微生物の高い対数減少をもたらすＵＶ光を使用し、一方で、色、香り、及び感触を含む、栄養及び感覚感受性の特性の多くを維持する、流体処理に向けられる。これは、流体を人の消費に対して安全な流体を作ることを含む多くの文脈において有益であり、一方でこれらの流体の外観、感触、味覚、香り、及び栄養特性を維持する。本明細書で説明される方法及びシステムは、比較的低いレベルのＵＶ光への露出によって、微生物の存在を効率的に減少させる機能により、広い用途に有用である。
【００２１】
本開示は、流体の高乱流と、薄い流体膜または流れの発生を介した流体の小さい径との組み合わせを利用することによって、過去に利用された、紫外線を使用して流体を処理するシステム及び方法の欠点を克服し、先行技術の方法と比較して、ＵＶ光に対する流体の過剰処理を全体的に減少させる。本明細書で説明する、ＵＶ光に対する過剰処理は、紫外線照射に流体の一部を繰り返し露出させることであり、これは、紫外線照射を一度に流体の全延長に貫入することができないためであることが多い。加えて、本明細書で説明するシステム及び方法の、いくつかの実施形態は、互いに対して移動する２つの表面間の流体を処理するシステムを提供し、これは、従来の動水力と比較すると、より強烈な乱流を提供する。これは機能を劇的に向上させ、濃色のプロセス流体においてさえ、微生物の高い対数減少を実現する。いくつかの実施形態は、同時に流体の２つ以上の側にＵＶ光を提供し、それによって機能を劇的に向上させ、濃色のプロセス流体においてさえ、微生物の高い対数減少を実現する。
【００２２】
いくつかの実施形態において、紫外線光を使用するプロセス流体の処理のためのシステムは、流体を壁の内側に提供するよう構成された流体入口と、壁の内側に対して回転して、流体中に薄い膜及び高乱流を生成する乱流機構と、を含む。乱流機構は、ブラシ、ワイパー、第２の壁、または、乱流機構が壁の内側の延長に沿って動くとき、壁の内側に膜を生成できる他の同等の機構とし得る。いくつかの実施形態において、システムは、紫外線光源をさらに含み得る。システムは、流体が壁の内側に沿って動く大半の時間の間、壁の内側にわたって斜めに動く流体の均一な膜を生成するよう、さらに構成され得る。
【００２３】
いくつかの実施形態において、紫外線光を使用してプロセス流体を処理するシステムは、内側を有する壁と、流体入口パイプと、流体を壁の内側に提供するよう構成され、かつ流体入口パイプに接続された少なくとも１つのチャネルと、壁に平行に位置付けられ、かつ壁の内側にブラシをかけるよう構成された少なくとも１本のブラシと、流体が壁の内側を流れ落ちる際に、流体に向けられるよう構成された少なくとも１つの紫外線ランプと、を含む。少なくとも１つのチャネルの各々は、壁の内側と連通して、流体が壁の内側に流れるのを可能にし得る。少なくとも１本のブラシは、壁の内側に沿って動くよう構成され、壁の内側に対して流体にブラシをかけ、流体が少なくとも１つのチャネルを流れ落ちるときに、流体膜を生成し得る。いくつかのシステムはさらに、流体が壁の内側にある時間の大半の間、流体から均一な膜を形成し得る。
【００２４】
いくつかの実施形態において、紫外線光を使用してプロセス流体を処理するシステムは、少なくとも２本のシリンダを含み、一方は他方の内側に、これらのシリンダの壁の間に空隙ができるよう配置される。これらのシリンダは、流体がこれらの壁の間の空隙に流れるよう配置され、互いに対して回転するよう構成され得る。いくつかの実施形態において、これら少なくとも２本のシリンダは、プロセス流体を囲むよう構成される。
【００２５】
いくつかの実施形態において、紫外線光を使用してプロセス流体を処理するシステムは、１セットのプレートを含み、それらの間に流体が流れ、流体がシステムを流れ抜け、プレートのセットの各々の上に流れるときに、光は直ちに流体の２つの側に貫入するよう構成される。
【００２６】
次に図１を参照すると、壁１０２がシステム１００に設けられる。入口パイプ１０４は、流体をシステム１００に提供し得る。少なくとも１つのチャネル１０６は流体入口パイプ１０４に接続され、流体を壁１０８の内側に提供するよう構成され得る。少なくとも１本のブラシ１１０は、壁１０２に平行に位置付けられ、壁１０８の内側にブラシをかけるよう構成され得る。少なくとも１つの紫外線ランプ１１２は、流体が壁１０８の内側を流れ落ちる際に、流体に向けられるよう構成され得る。
【００２７】
いくつかの実施形態において、壁１０２はシリンダを形成し得る。他の形態も使用され得る。シリンダの使用は、その形状が効率を向上させ、より均一な膜を作り出し、かつ跳ね返りを軽減させるので、好ましい場合がある。この全ては、流体がどこに動くかを制御すること、ならびに流体の任意の部分がどれだけ長く紫外線光に露出されるかを良好に予想することから、システムを向上させ得る。いくつかの実施形態において、壁１０２は透明であってよい。いくつかの実施形態において、壁１０２は透明な物質で構成され得る。いくつかの実施形態において、壁１０２は、ガラス、プレキシガラス、または透明プラスチックで構成され得る。これらの材料は、壁１０８の内側に鉱物膜または生体膜が形成されるのを最小限に抑えるか、または防止するのに役立ち得る。石英またはＴｅｆｌｏｎ（登録商標）などの他の材料も使用され得る。なぜなら、紫外線光は壁の前に流体に当たり、それによって壁１０８の内側表面に形成され得る膜の影響を、最小限に抑えるからである。
【００２８】
さらに図１を参照すると、ギアボックス１１４はモータ１１６に接続して使用され、少なくとも１本のブラシ１１０を壁１０８の内側に沿って動かし得る。いくつかの実施形態において、モータ単体（明確に示されない）で、この機能を実施し得る。いくつかの実施形態において、７／１ギア比であり得る５馬力のモータが、この機能を実施し得る。ブラシ１１０は、円筒形の壁の事例において、壁１０８の内側の周りを回転し得る。
【００２９】
いくつかの実施形態において、円筒形の壁の精度は、壁１０８の内側に形成される流体膜を制御するのに役立ち得る。円筒形の壁の半径は、正確に約１／８インチ以下となり得る。半径の精度は、一定で均一の流体膜厚、ならびに乱流の不変性を生成するのに役立ち得る。
【００３０】
いくつかの実施形態において含まれる支持構造を、やはり図１を参照しながら次に説明する。支持構造は、中心軸１１８と、底部アセンブリ１２０と、ブッシングアセンブリ１２２を伴うスパイダとを含み得る。少なくとも１本のブラシ１１０は、中央軸１１８に接続され得る底部アセンブリ１２０にボルトで止められた支持構造上に、収容され得る。スパイダ及びブッシングアセンブリ１２２は、同様に、少なくとも１本のブラシ１１０を安定させ得る。いくつかの実施形態において、少なくとも２本のブラシ１１０を有することが好ましい場合がある。いくつかの実施形態において、少なくとも１本のブラシ１１０を、中心軸１１８に関するウェイト配分のバランスをとるために配置することが好ましい場合がある。いくつかの実施形態において、カウンタウェイトを使用して、中心軸に関するウェイト配分のバランスをとり得る。モータ１１６は中心軸１１８を回転させ、中心軸１１８は、ブラシ１１０を壁１０８の内側の周りに回転させ得る。ブッシングアセンブリは、空気ダクト１２４に装着されたステンレスレース上に載り得るＴｅｆｌｏｎ（登録商標）ブロックを備え得る。関連の技術分野における当業者によって配置され得るよう、他の構成を使用して、ブラシ１１０を壁１０８の内側に沿って回転させ得る。
【００３１】
いくつかの実施形態において、少なくとも１つのチャネル１０６は、少なくとも１本のブラシ１１０のための支持構造に接続され、それによって少なくとも１つのチャネル１０６は、図４に示されるチャネル１０６のように、流体が少なくとも１本のブラシ１１０の前に流れるのを可能にするよう構成され得る。少なくとも１つのチャネル１０６は中心軸１１８に接続され、少なくとも２本のブラシ１１０の前で、流体が直接壁１０８の内側に流れるのを可能にするよう構成され得る。いくつかの実施形態において、少なくとも２つのチャネル１０６ａ及び１０６ｂが好ましい場合がある。チャネルの数は、ブラシの数に対応し得る。
【００３２】
再び図１を参照すると、いくつかの実施形態はトラフ１２６を含み得る。トラフ１２６は、流体フローを、流体入口パイプ１０４から少なくとも１つのチャネル１０６へ接続するよう構成され得る。このトラフは中心軸１１８に接続され、少なくとも１本のブラシ１１０と共に回転し得る。いくつかの実施形態において、このトラフは、少なくとも１本のブラシ１１０と共に動くよう構成され得る。
【００３３】
いくつかの実施形態において、１本以上の流体入口パイプ１０４を使用して、流れをシステム１００の中に導き得る。いくつかの実施形態において、システムのための、４つ以上のチャネル、及び４本以上のブラシを有することが好ましい場合がある。システムのための、少なくとも１６個のチャネル及び１６本のブラシを有することが、さらに好ましい場合がある。チャネル及びブラシの数は、システムの壁の内側に形成される流体膜の径を最小限に抑えるのに役立つことによって、システムを向上させ得る。ブラシの数は、流体膜が紫外線光に露出される時間に従って、最適化され得る。システムのサイズも、チャネル及びブラシの数を決定する要因となり得る。なぜなら、より大きいシステムは、よい多くのチャネル及びブラシを可能にし得るからである。いくつかの実施形態において、チャネルよりも多い数の、ブラシの数が存在し得る。いくつかの実施形態において、チャネル及び使用された場合のトラフは静止され、一方でブラシは、システムの壁の内側に沿って回転し得る。本開示の教示に従って使用され得る流体の様々な特性のため、異なる流体は、異なる構成のチャネル、ブラシ、及び回転能力を必要とし得る。
【００３４】
図２に示されるように、少なくとも１つのチャネル２０６は、システム２００における壁２０８の内側の上部に沿って、互いに対して等距離の固定位置にあるよう構成され得る。いくつかの実施形態において、流体入口パイプ２０４は中央に位置され、比較的同じ量で少なくとも１つのチャネル２０６を満たし得る。いくつかの実施形態において、少なくとも１つのチャネル２０６は、ブラシと共に回転するよう構成され、各チャネル２０６間の角度が概ね等しくなるよう、中心軸２１８に沿って互いに対して等距離とされ得る。同様に、２本以上のブラシ２１０が使用されるとき、これらのブラシ２１０は、やはり互いに対して等距離に位置され得る。
【００３５】
次に図３を参照すると、紫外線ランプ３１２は、壁３０２で形成されたシリンダの内側に位置され得る。いくつかの実施形態において、２つ以上の紫外線ランプが使用され得る。システム３００のサイズに依拠して、１０個より多くの紫外線ランプ３１２を使用することが有利となり得る。より有利には、いくつかのシステムは３２個以上の紫外線ランプ３１２を利用し得る。いくつかの実施形態において、紫外線ランプは、シリンダの内側及びシリンダの外側の両方に位置付けられ、流体をＵＶ照射に、シリンダの内側及び外側の両方から露出させ得る（図示せず）。関連の技術分野における当業者は、出力電力、波長、及び他の関連の要因を考慮し、特定の紫外線ランプに容易に考えつくであろう。
【００３６】
いくつかの実施形態において、紫外線ランプは、華氏１７５〜２２５°の温度で動作し得る。華氏約１９０〜２１０°の温度で動作することが好ましい場合がある。空気ダクト３２４は、紫外線ランプの最適な温度を維持するのに役立ち得る。空気ダクト３２４は、壁３０２の内側における紫外線ランプ３１２のハウスのための構造支持を、追加的に提供し得る。紫外線ランプ３１２を冷却する他の方法として、当技術分野で公知のものが使用され得る。いくつかの実施形態は、紫外線ランプとして低圧水銀灯を使用し得る。さらなる光を含むことは、システムの性能を向上させ得る。
【００３７】
図３に最も良好に示されるように、少なくとも１つの紫外線ランプ３１２は、壁３０２の内側に構成された第２の壁３２８によって、流体の跳ね返りから防護され得る。第２の壁は、紫外線光がそれを透過して流体へ進むのを可能にするために、透明であってよい。第２の壁３２８は、流体が壁３０２の内側に膜を形成するとき、流体と接触しないよう、さらに構成され得る。
【００３８】
図４に最も良好に示されるように、少なくとも１本のブラシ１１０は、剛毛４３０を有するように構成され得る。これらの剛毛４３０は、壁１０２の内側に対してブラシをかけるよう構成され、壁１０２の内側の大半に沿って流体膜を生成し得る。いくつかの実施形態において、１本のブラシ１１０によって形成された流体は、膜が壁１０２の内側の大半を流れ落ちるため、０．１ミリメートル未満の幅であってよい。いくつかの実施形態において、０．１〜１ミリメートルの、より広い幅が、良好に使用され得る。いくつかの実施形態において、３ミリメートルまたはそれ以上の厚さの、より大きい流体厚が有用となり得る。流体膜の幅は、本発明において具現化される様々な構成に基づき変化し、さらに、本発明に実際に使用される流体に基づき変化し得る。流体厚は、どれほどの流体が一度にＵＶ光に露出されるかに影響するため、重要である。貫入ゾーンは、流体中の色及び粒子が光を遮断し、微生物の不活性化を阻む前に、ＵＶ光に露出される流体厚の部分である。より濃色か、または光を遮断する粒子をより多く有する流体は、一般に小さい貫入ゾーンを有する。なぜなら、光は流体厚の第１の部分にしか貫入できないからである。処理中の、より薄い流体厚は、流体厚のうちでより大きい比率の貫入ゾーンを可能にする。例のみとして、流体の貫入ゾーンが０．０１ミリメートルである場合、０．１ミリメートルの膜厚は、流体の１０％を一度にＵＶ光に露出させ、その一方で、１ミリメートルの膜厚は、同じ流体の１％しかＵＶ光に露出させない。さらに、乱流が流体を混合するために使用され、流体が壁１０２の内側に沿って動かされる際に、流体の異なる部分が貫入ゾーンの中に動くよう、流体がシステムを通して動くとき、流体の新たな部分を光に露出させるのを可能にする。上述のような流体の過剰処理は、流体の一部がＵＶ光に再露出されたときに生じ、処理された流体が離れた後で貫入ゾーンに再び入るときに生じることが多い。流体の過剰処理は、貫入ゾーンが流体厚のうちで、より大きい比率であるとき、大幅に軽減される。より大きい流体の部分が、任意の時間にＵＶ照射に露出されるとき、ほとんどまたはほぼ全ての流体の部分を、ＵＶ照射に露出させるために、僅かな乱流しか必要としない。これは、処理においてＵＶ照射に再露出される流体の量を減少させる。減少した過剰処理は、流体の感覚感受性及び栄養をあまり劣化させない。微生物の高い対数減少は、処理の進行中に流体の大部分がＵＶ光に露出されたとき、実現される。したがって、システムは、流体の大部分をＵＶ光に同時に露出させ、その一方で、高レベルの流体乱流を発生させながら流体膜厚を減少させることによって、流体の過剰処理を最小限に抑える。いくつかの実施形態において、少なくとも１本のブラシ１１０は、Ｔｅｆｌｏｎ（登録商標）から構成され得る。いくつかの実施形態において、劣化することなくＵＶ光に抵抗できる、他の材料が使用され得ることが好ましい。
【００３９】
図５に示されるように、少なくとも１本のブラシ１１０は、剛毛５３２をさらに備え得る。いくつかの実施形態において、剛毛は、互いから０．０２〜０．０３インチ離して構成され得る。いくつかの実施形態において、剛毛は０．０１５〜０．０３インチの径であってよい。いくつかの実施形態において、剛毛は約０．５〜１．５インチの長さであってよい。約１インチの長さの剛毛を有することも好ましい場合がある。約０．０２０〜約０．０２８インチの径の剛毛を有することが、さらに好ましい場合がある。約０．０２５インチ離した剛毛を有することが、さらに好ましい場合がある。
【００４０】
図６に示されるように、いくつかの実施形態は、少なくとも１つのスプレーノズル６３８をさらに備え得る。いくつかの実施形態において、少なくとも１つのスプレーノズル６３８は、乱流機構にスプレーするよう構成され得る。いくつかの実施形態において、少なくとも１つのスプレーノズル６３８は、少なくとも１本のブラシ１１０を洗浄するよう構成され得る。少なくとも１つのスプレーノズル６３８は、洗浄目的のために、乱流機構上に洗浄液をスプレーするよう、さらに構成され得る。いくつかの実施形態において、少なくとも１つのスプレーノズル６３８は、少なくとも１本のブラシ１１０をスプレーして、プロセス流体によって残されたごみを洗浄するよう構成され得る。
【００４１】
いくつかの実施形態において、２つ以上のスプレーノズル６３８を有することが好ましい場合がある。いくつかの実施形態において、ノズルをセットで配置することが好ましい場合がある。いくつかの実施形態において、１〜１００個のスプレーノズルを有することが好ましい場合がある。いくつかの実施形態において、５〜１０セットのノズルを有することがより好ましい場合がある。スプレーノズルの好ましい数は、流体の特性及びシステムのサイズに依拠して変化し得る。少なくとも１つのスプレーノズル６３８は、少なくとも１本のブラシ１１０の全長をスプレーするよう構成され得る。
【００４２】
いくつかの実施形態において、少なくとも１つのスプレーノズル６３８は静止するよう構成され得る。システム１００は、少なくとも１本のブラシ１１０を、洗浄のために中心軸１１８の周りに回転させるよう構成され得る。いくつかの実施形態において、少なくとも１つのスプレーノズル６３８及び少なくとも１本のブラシ１１０の両方は、少なくとも１本のブラシ１１０からごみを洗浄するのを促進するために、回転するよう構成され得る。いくつかの実施形態において、少なくとも１つのスプレーノズル６３８及び少なくとも１本のブラシ１１０は、洗浄中に静止され続けるよう構成され得る。いくつかの実施形態において、第２の少なくとも１つのスプレーノズル６３８は、少なくとも１つのスプレーノズル６３８を縦に並べて使用されるよう構成され得る。いくつかの実施形態において、静止したスプレーノズル、及び回転するスプレーノズルが存在し得る。
【００４３】
いくつかの実施形態において、少なくとも１つのスプレーノズル６３４は、少なくとも１本のブラシ１１０にスプレーするよう設置されるよう構成され得る。これは、システム１００における外部または内部位置からであってよく、第２の内壁３２８または壁１０８の内側を含む。図６に示されるように、駆動機構は構造体の底部に位置付けられる。
【００４４】
第１のポート６３６は、洗浄液がシステム１００の中に入るのを可能にし得る。システム１００は、ポート６３６に接続された少なくとも１つのダクト６４２、及び少なくとも１つのスプレーノズル６３４をさらに備え、それによってシステム１００は、洗浄液が入口６３６から少なくとも１つのスプレーノズル６３４に流れるのを可能にするよう構成され得る。システム１００は、洗浄中に流体がシステム１００を通って動くよう構成された、第２のポート６４０をさらに備え得る。
【００４５】
図７に示されるように、少なくとも１つのスプレーノズルは、少なくとも１つのダクト６４２に接続された少なくとも１セットのスプレーノズル７４４を備え、洗浄液をある角度で少なくとも１本のブラシ１１０にスプレーするよう構成されるよう、システム１００に設置され得る。いくつかの実施形態において、少なくとも１セットのスプレーノズルの角度は、壁から約４５°であってよい。いくつかの実施形態において、３０〜６０°の角度が使用され得る。いくつかの実施形態において、少なくとも１セットのスプレーノズル７４４における対のスプレーノズルの各々は、互いから概ね９０°で構成され得る。いくつかの実施形態において、少なくとも１セットのスプレーノズル７４４間の角度は、５０〜１５０°であってよい。いくつかの実施形態において、少なくとも１セットのスプレーノズル７４４は、少なくとも１本のブラシ１１０の両側をスプレーするよう構成され得る。
【００４６】
いくつかの実施形態において、少なくとも１つのスプレーノズル６３４、少なくとも１つのダクト６４２、及び入口６３６は、システムから取り外し可能である。いくつかの実施形態において、少なくとも１つのスプレーノズル、少なくとも１つのダクト、及び入口は、プロセス流体の処理中に所定の位置に残る。
【００４７】
次に図８を参照すると、紫外線ランプ８１２は、冷却流体８４６によって取り囲まれ得る。冷却流体８４６は、容器８４８によって紫外線ランプ８１２の周りに囲まれ得る。容器８４８は、石英、Ｔｅｆｌｏｎ（登録商標）、または紫外線光を通過させながら冷却流体８４６の中で保持可能な他の物質で作られ得る。いくつかの実施形態において、容器８４８は、冷却流体が、冷却入口８５０及び冷却出口８５２を介してシステムを出入りして、紫外線ランプを冷却する。いくつかの実施形態において、冷却流体８４６は、水、脱イオン水、オイル、溶媒、または紫外線ランプ８１２に堆積物を残さず紫外線光が透過できる、他の材料であってよい。いくつかの実施形態において、冷却流体は空気よりも好ましい。なぜなら、紫外線ランプ８１２を通り過ぎるときに、紫外線ランプ８１２からの粒子または埃も除去し、それによってシステム１００に最大の紫外線を存在させ続けるからである。
【００４８】
次に図９を参照すると、いくつかの実施形態において、システム９００は、外部シリンダ９５４及び内部シリンダ９５６を備え得る。外部シリンダ９５４及び内部シリンダ９５６は、それらの間に配された流体が囲まれかつ非常に薄くなるよう、互いに対して回転するよう構成され得る。いくつかの実施形態において、シリンダ９５４及び９５６は、約０．０１０〜約１．０インチよりも大きいプロセス流体の厚さを生成するよう構成され得る。濃さ及びプロセス流体中で可能な紫外線光の貫入に依拠して、この範囲内の様々な厚さが好ましい場合がある。いくつかの実施形態において、一方のシリンダは静止するよう構成され、他方のシリンダは回転するよう構成され得る。この回転は、少なくとも１つの紫外線ランプ９１２に対して高く速い露出を伴う、非常に大きい乱流を流体に生成することになる。少なくとも１つの紫外線ランプ９１２は、内部シリンダ９５６の内側に設置され得る。いくつかの実施形態において、少なくとも１つの紫外線ランプ９１２は、外部シリンダ９５４の外側に設置され得る。いくつかの実施形態において、少なくとも１つの紫外線ランプ９１２は、内部シリンダ９５６の内側及び外部シリンダ９５４の外側に設置され得る。
【００４９】
内部シリンダ９５６及び外部シリンダ９５４は、紫外線光の大部分を透過させる材料で作られ得る。このような材料として、石英、Ｔｅｆｌｏｎ（登録商標）、及び最小限の紫外線光を遮断する同等の材料が挙げられ得る。
【００５０】
システム９００は、流体が内部シリンダ９５６と外部シリンダ９５４との間の空間に入るよう構成された、流体入口パイプ９０４をさらに備え得る。システムは、出口９４０も有し得る。
【００５１】
いくつかの実施形態において、内部シリンダ９５６及び外部シリンダ９５４の表面は、平滑であってよい。いくつかの実施形態において、内部シリンダ９５６及び外部シリンダ９５４の表面は、プロセス流体中の乱流を増加させるために、粗面であってよい。
【００５２】
互いに対するシリンダの回転速度は、プロセス流体の特性に依拠し得る。これらの特性は、粘性、及びシリンダ間を移動する際の流体厚などを含む。いくつかの実施形態において、回転速度は、約５〜５０フィート／秒であってよい。
【００５３】
囲まれたシステムに関する実施形態は、プロセス流体を空気に露出させず、したがって空気中の汚染物質ならびにプロセス流体の酸化を避けるという利点を有し得る。高乱流及び薄い膜を伴う実施形態は、多くの光を入れない濃色の流体でさえ、紫外線光に対して非常に良好な露出を提供する。
【００５４】
図１０に示されるように、いくつかの実施形態は、示されるように重複するよう構成されたプレート１０５８のシステムを備え得る。それによってプレート間の空間は流体フローチャネル１０６０を形成し、それは、プロセス流体がシステム１０００を流れ抜ける際に、形成される流体フローの両方の側において、プロセス流体を紫外線ランプ１０１２に露出させるよう構成される。入口１００４は、プロセス流体をシステム１０００に入れるよう構成され得る。出口１０４０は、プロセス流体をシステム１０００から出すよう構成され得る。いくつかの実施形態において、プレート１０５８は連続したフローに配置され、それによってプレート１０５８は、流体を第１のプレートの上部からこの第１のプレートの底部へ流し、少なくとも第２のプレートの上部の中に流すよう構成され得る。いくつかの実施形態において、システムが流体を、複数のプレートのために下方へ、及び複数のプレートのために上方へと両方に流れるよう構成されるように、平行の流体フローが使用され得る。好ましい実施形態は、粘性、濁度、及び必要とされる紫外線の露出時間を含むプロセス流体の特性に基づいて、構成、サイズ、及びフローの長さの間で変化し得る。
【００５５】
プレートを伴うシステムの利点は、洗浄の容易さ、及び上記で説明した利点を含む。このようなシステムは、流体フローの間に可動部品を含まず、したがって維持管理は少ない。このようなシステムは、流体フローが重複するために設置面積がより小さく、したがってコストを減少させる利点も有し得る。
【００５６】
図１１に示されるように、プレート１１５８はガスケット材料をさらに備え得る。このガスケット材料はプレートの中に延び、プロセス流体が移動するための経路が長くなるよう、したがってプロセス流体の流速を低減させて、とどまる時間を延ばすよう構成される。ガスケット１１６２を伴う実施形態は、粘性、濁度、及び必要とされる紫外線露出時間を含むプロセス流体の特性のために、最適化され得る。プレート１１５８は、流体が出入りし得る少なくとも２つのポート１１６４ａ及び１１６４ｂを有し得る。これらのポートは、望ましい流体フローに依拠して、入口または出口として役立ち得る。
【００５７】
ガスケット厚１１６６は、プロセス流体がシステム１０００を流れ抜ける際の厚さを決定するよう構成され得る。いくつかの実施形態において、ガスケット厚１１６６は、約０．０１０〜約１．０インチよりも大きくてよい。この好ましい厚さは、粘性及び濁度を含むプロセス流体の特性に基づいて変化し得る。
【００５８】
紫外線光を使用してプロセス流体を処理する方法も、開示される。この方法は、内側を有する壁を提供するステップ；少なくとも１つのチャネルに接続された入口パイプによって、流体を壁の内側に提供するステップ；少なくとも１本のブラシを用いて、壁の内側に対して流体にブラシをかけ、壁の内側に沿って流体膜を生成するステップ；及び流体が壁の内側に対してブラシをかけられる際に、紫外線光が流体に向けられるように構成されるよう、少なくとも１つの紫外線光を壁の近くに提供するステップを含む。少なくとも１つのチャネルは、流体を壁の内側に提供し、それによって流体が壁の内側に流れ落ちるよう構成される。少なくとも１本のブラシは、壁の長手方向側に平行に位置付けられる。この方法は、モータを使用して、少なくとも１本のブラシを、壁の内側に沿って動かすステップをさらに含む。
【００５９】
いくつかの実施形態において、これらのステップは、ブラシの前の壁に沿って少なくとも１つのチャネルを動かし、それによって流体が少なくとも１本のブラシの前の、壁の内側に提供されるステップを含み得る。いくつかの実施形態は、入口パイプから流体を集積するよう構成されたトラフによって、流体を少なくとも１つのチャネルに提供するステップをさらに含む。このトラフは、少なくとも１本のブラシと共に動くよう、または壁のように静止したままとなるよう構成され得る。いくつかの実施形態において、少なくとも２つのチャネルが使用され、内壁の上部に沿って互いから等間隔で構成され得る。少なくとも１つのチャネルは、少なくとも１本のブラシと共に動くか、または壁と共に静止したままとなり得る。
【００６０】
いくつかの実施形態において、流体が壁の内側にある時間の大半の間、流体膜は均一である。本方法によって生成される流体膜は、０．１ミリメートル未満の幅であってよい。
【００６１】
いくつかの実施形態において、少なくとも１つの紫外線光は、第２の壁によって流体から防護され得る。壁及び第２の壁は、透明な物質で構成され得る。
【００６２】
いくつかの実施形態において、壁はシリンダを形成し得る。このような実施形態において、少なくとも１つの紫外線光は、シリンダの内側に位置付けられ得る。この方法は、壁がシリンダを形成する場合、少なくとも１本のブラシを、モータを使用して壁の内側に沿って回転させるステップをさらに含む。少なくとも１本のブラシは、モータによって回転する中心軸に装着され得る。
【００６３】
いくつかの実施形態において、少なくとも１本のブラシは、少なくとも２本のブラシを備え、いくつかの事例において、少なくとも２本のブラシは、壁の内側に沿って互いから等間隔で設けられ得る。少なくとも１本のブラシは、剛毛をさらに備え得る。いくつかの実施形態において、剛毛は、０．０１５〜０．０３インチの径、及び互いから０．０２〜０．０３インチ離して構成され得る。
【００６４】
前述において、紫外線光を使用してプロセス流体を処理するシステム及び方法を、回転ブラシを利用して説明した。これらの回転ブラシは、より大きい乱流、より大きい処理表面積、及び膜をより均一に作り出す。本明細書では、特に濃色の流体及び光を多く通さない流体において、微生物の高い対数減少を生じさせるために必要なＵＶ光の過剰処理を、最小限に抑えるうえで有用な、非常に薄い流体膜を生成する方法及びシステムも提供される。
【００６５】
前述において、システムの特徴及び種類は、方法によって利用されること、及びその逆もあることを理解されたい。本開示は、システムとして、または方法としてのみ説明した特徴によって限定されるものと解釈するべきではなく、実行可能となるように交換できる。
【００６６】
前述の発明を実施するための形態において、本開示の様々な特徴が、開示を簡素化する目的で、単一の実施形態に共にグループ化されている。本開示の方法は、請求する開示が、各特許請求項に明示的に列挙されるよりも多くの特徴を必要とする意図を反映するものと、解釈するべきではない。むしろ、以下の特許請求の範囲が反映するように、発明の態様は、上記で開示した任意の単一の実施形態における全ての特徴未満となる。したがって、以下の特許請求の範囲は、参照によって発明を実施するための形態に組み込まれ、各特許請求項はそれ自体で本開示の別個の実施形態として成り立つ。
【００６７】
上述の装置は、本開示の原理の適用における例示のみであることを理解されたい。多くの変更及び代替の装置が、当業者によって、本開示の趣旨及び範囲から逸脱することなく考案され得る。添付の特許請求の範囲は、このような変更及び装置を網羅するよう意図される。したがって、本開示を図面に示し、具体的かつ詳細に上述したが、数量、比率、材料、ならびに製造及び使用方法を含むが限定ではない多くの変更が、当業者には、本明細書に記載された原理及び構想から逸脱することなく成され得る。
【００６８】
追加の仕様支援
実施形態１
紫外線光を使用してプロセス流体を処理するシステムであって、
流体をシステムに提供するよう構成された、流体入口と、
薄い流体厚を生成するよう構成された、乱流機構と、
紫外線ランプと
を含む、システム。
【００６９】
実施形態２
乱流機構は少なくとも２枚のプレートを含み得る、実施形態１に記載のシステム。
【００７０】
実施形態３
少なくとも２枚のプレートは、紫外線範囲において電磁信号を生成するよう構成され得る、実施形態２に記載のシステム。
【００７１】
実施形態４
紫外線光を使用してプロセス流体を処理するシステムであって、
流体を壁の内側に提供するよう構成された、流体入口と、
壁の内側に沿って回転させるよう構成され、壁の内側に沿って薄い流体膜を生成するよう構成された、乱流機構と
を含む、システム。
【００７２】
実施形態５
乱流機構は、流体中に高乱流を生成するようさらに構成される、実施形態４に記載のシステム。
【００７３】
実施形態６
乱流機構は、ブラシ、ワイパー、及び第２の壁のうち少なくとも１つから構成され得る、実施形態４に記載のシステム。
【００７４】
実施形態７
紫外線光源をさらに含む、実施形態４に記載のシステム。
【００７５】
実施形態８
流体が壁の内側に沿って動く大半の時間の間、壁の内側にわたって斜めに動く均一な流体膜を生成するようにさらに構成される、実施形態４に記載のシステム。
【００７６】
実施形態９
紫外線光を使用してプロセス流体を処理するシステムであって、
内側を有する壁と、
流体入口パイプと、
流体入口パイプに接続され、かつ流体を壁の内側に提供するよう構成された、少なくとも１つのチャネルと、
壁に平行に位置付けられ、かつ壁の内側にブラシをかけるよう構成された、少なくとも１本のブラシと、
流体が壁の内側を流れ落ちる際に、流体に向けられるよう構成された、少なくとも１つの紫外線ランプと
を備え、
少なくとも１つのチャネルの各々は、壁の内側と連通して、流体が壁の内側に流れるのを可能にし、
少なくとも１本のブラシは、壁の内側に沿って動くよう構成され、壁の内側に対して流体にブラシをかけ、流体が少なくとも１つのチャネルを流れ落ちるときに流体膜を生成する、システム。
【００７７】
実施形態１０
流体が壁の内側にある時間の大半の間、流体は均一の膜を形成する、実施形態９に記載のシステム。
【００７８】
実施形態１１
壁はシリンダを形成する、実施形態９に記載のシステム。
【００７９】
実施形態１２
壁は透明の物質から構成される、実施形態９に記載のシステム。
【００８０】
実施形態１３
壁は、ガラス、プレキシガラス、または透明プラスチックから構成される、実施形態９に記載のシステム。
【００８１】
実施形態１４
膜が壁の内側の大半を流れ落ちる際に、膜は０．１ミリメートル未満の幅である、実施形態１０に記載のシステム。
【００８２】
実施形態１５
少なくとも１本のブラシを動かすよう構成されたモータをさらに含む、実施形態９に記載のシステム。
【００８３】
実施形態１６
少なくとも１本のブラシは、壁の内側の周りを回転する、実施形態１２に記載のシステム。
【００８４】
実施形態１７
少なくとも１つの紫外線ランプは、壁によって形成されたシリンダの内側に位置付けられる、実施形態１２に記載のシステム。
【００８５】
実施形態１８
少なくとも１つの紫外線ランプは、壁の内側に構成された第２の壁によって、流体の跳ね返りから防護される、実施形態１７に記載のシステム。
【００８６】
実施形態１９
少なくとも１つのチャネルは、少なくとも１本のブラシのための支持構造に接続され、それによって少なくとも１つのチャネルは、流体が少なくとも１本のブラシの前に流れるのを可能にするよう構成される、実施形態９に記載のシステム。
【００８７】
実施形態２０
少なくとも１本のブラシは、互いから等間隔に位置付けられた、少なくとも２本のブラシを含む、実施形態１２に記載のシステム。
【００８８】
実施形態２１
少なくとも２本のブラシは、モータによって回転する中心軸に接続される、実施形態２０に記載のシステム。
【００８９】
実施形態２２
少なくとも１つのチャネルは、中心軸に接続され、かつ流体が少なくとも２本のブラシの各々の前に、壁の内側に直接流れるよう構成される、実施形態２１に記載のシステム。
【００９０】
実施形態２３
流体入口パイプからの流体フローを、少なくとも１つのチャネルへ接続するよう構成されたトラフをさらに含む、実施形態９に記載のシステム。
【００９１】
実施形態２４
トラフは、少なくとも１本のブラシと共に動くよう構成される、実施形態１７に記載のシステム。
【００９２】
実施形態２５
少なくとも１つのチャネルは、壁の内側の上部に沿って、互いに対して等距離の固定位置にあるよう構成される、実施形態９に記載のシステム。
【００９３】
実施形態２６
少なくとも１本のブラシは、ポリテトラフルオロエチレンで構成される、実施形態９に記載のシステム。
【００９４】
実施形態２７
少なくとも１本のブラシは、複数の剛毛をさらに含む、実施形態９に記載のシステム。
【００９５】
実施形態２８
剛毛は、互いから０．０２〜０．０３インチ離して構成される、実施形態２７に記載のシステム。
【００９６】
実施形態２９
剛毛は、０．０１５〜０．０３インチの径を有する、実施形態２７に記載のシステム。
【００９７】
実施形態３０
紫外線光を使用してプロセス流体を処理する方法であって、
内側を有する壁を提供するステップと、
少なくとも１つのチャネルに接続された入口パイプによって、流体を壁の内側に提供するステップと、
少なくとも１本のブラシを用いて、壁の内側に対して流体にブラシをかけ、壁の内側に沿って流体膜を生成するステップと、
壁の近くに少なくとも１つの紫外線光を提供し、それによって流体が壁の内側に対してブラシをかけられる際に、紫外線光が流体に向けられるよう構成されるステップと
を含み、
少なくとも１つのチャネルは、流体を壁の内側に提供し、それによって流体が壁の内側に流れ落ち、
少なくとも１本のブラシは、壁の長手方向側に平行に位置付けられる、方法。
【００９８】
実施形態３１
流体が壁の内側にある時間の大半の間、流体膜は均一である、実施形態３０に記載の方法。
【００９９】
実施形態３２
壁はシリンダを形成する、実施形態３０に記載の方法。
【０１００】
実施形態３３
壁は透明の物質から構成される、実施形態３０に記載の方法。
【０１０１】
実施形態３４
流体膜は０．１ミリメートル未満の幅である、実施形態３２に記載の方法。
【０１０２】
実施形態３５
少なくとも１本のブラシを、モータを使用して壁の内側に沿って動かすステップをさらに含む、実施形態３０に記載の方法。
【０１０３】
実施形態３６
少なくとも１つの紫外線光は、シリンダの内側に位置付けられる、実施形態３２に記載の方法。
【０１０４】
実施形態３７
少なくとも１つの紫外線光は、第２の壁によって流体から防護される、実施形態３０に記載の方法。
【０１０５】
実施形態３８
少なくとも１本のブラシを、モータを使用して壁の内側に沿って回転させるステップをさらに含む、実施形態３２に記載の方法。
【０１０６】
実施形態３９
少なくとも１本のブラシは、モータによって回転する中心軸に接続される、実施形態３８に記載の方法。
【０１０７】
実施形態４０
ブラシの前の壁に沿って少なくとも１つのチャネルを動かし、それによって流体が、少なくとも１本のブラシの前の、壁の内側に提供されるステップをさらに含む、実施形態３０に記載の方法。
【０１０８】
実施形態４１
入口パイプから流体を集積するよう構成されたトラフによって、流体を少なくとも１つのチャネルに提供するステップをさらに含む、実施形態４０に記載の方法。
【０１０９】
実施形態４２
トラフは、少なくとも１本のブラシと共に動くよう構成される、実施形態４１に記載の方法。
【０１１０】
実施形態４３
少なくとも１本のブラシは、少なくとも２本のブラシを含む、実施形態３０に記載の方法。
【０１１１】
実施形態４４
少なくとも２本のブラシは、壁の内側に沿って互いから等間隔で提供される、実施形態４３に記載の方法。
【０１１２】
実施形態４５
少なくとも１つのチャネルは、内壁の上部に沿って、互いに対して等距離になるよう構成される、実施形態３０に記載の方法。
【０１１３】
実施形態４６
少なくとも１本のブラシは、剛毛をさらに含む、実施形態３０に記載の方法。
【０１１４】
実施形態４７
剛毛は、０．０１５〜０．０３インチの径、及び互いから０．０２〜０．０３インチ離して構成される、実施形態４３に記載の方法。
【図１】
2021532951.tif 000003
【図２】
2021532951.tif 000004
【図３】
2021532951.tif 000005
【図４】
2021532951.tif 000006
【図５】
2021532951.tif 000007
【図６】
2021532951.tif 000008
【図７】
2021532951.tif 000009
【図８】
2021532951.tif 000010
【図９】
2021532951.tif 000011
【図１０】
2021532951.tif 000012
【図１１】
2021532951.tif 000013
【手続補正書】
【提出日】令和2年3月27日(2020.3.27)
【手続補正１】
【補正対象書類名】明細書
【補正対象項目名】全文
【補正方法】変更
【補正の内容】
【発明の詳細な説明】
【技術分野】
【０００１】
本開示は、詳細にはプロセス流体のシステム及び方法に向けられる。具体的には、本発明は、プロセス流体における有害な有機体を不活性化することに向けられる。
【背景技術】
【０００２】
流体中の有害な有機体を不活性化するための、１つの方法は、紫外線照射（本明細書では「ＵＶ光」と言及する場合がある）に露出することである。ＵＶ光が流体を照射すると、露出は、バクテリア、ウィルス、及び他の微生物を死滅または不活性化させる。しかしＵＶ光への長い露出は、感覚受容性及び栄養を劣化させることになる。熱処理などの他の方法は同様の問題を有する。なぜなら、流体への十分な熱は微生物を死滅させるが、栄養及び適切な色素、ならびに好適な香りも破壊するからである。この破壊は多くの流体にとって望ましくない。
【０００３】
例えばＵＶ波長の通過に対する抵抗性が低い流体など、透明または淡色の流体に対するＵＶ光処理は、これらのタイプの流体中における微生物を減少させるための効果的な方法である場合がある。なぜなら、ＵＶ光は容易に流体に貫入し、ＵＶ光に長く露出させることなく、微生物の高い対数減少を生じさせるからである。不透明及び／または濃色の流体は、効果的に処理することがより困難である。従来のＵＶ光処理は、これら濃色の流体の僅かな部分にしか貫入しない。この課題に取り組むため、非常に大きい乱流及び露出が、淡色かまたは透明の流体と同様の、微生物の高い対数減少を生じさせるために使用される。いくつかの事例において、濃色の流体は、微生物の高い対数減少を実現する前に数千回ＵＶ光に露出させなければならない。これは、流体の感覚受容性及び栄養を大幅に劣化させる結果となる。
【０００４】
加えて、流体のＵＶ光処理は、ＵＶ光を流体から分離する、石英またはＴｅｆｌｏｎ（登録商標）（または類似の特性を有する材料）等の材料の層を用いて実施されることが多い。これは、ＵＶ光を流体から分離する材料の表面上に、ミネラル及び生体膜を堆積させることが多く、堆積物によって遮断されるＵＶ光のレベルに依拠して、流体中へのＵＶ光の貫入を減少または遮断し、ＵＶ処理を幾分または完全に無効にする。これらの堆積物は流体フローも遮断する場合がある。特に、流体フローが乱流を増加させるのを制限される場合、生産が再開できる前に、システムの全セクションを交換するか、または洗浄を要することが多い。
【発明の概要】
【発明が解決しようとする課題】
【０００５】
したがって、大幅な栄養または感覚感受性を劣化させることなく、かつシステム内でＵＶ光が流体に貫入するのを妨げることなく、流体中の微生物の高い対数減少をもたらす処理システムを用いると、特に透明または淡色ではないプロセス流体に対する改善となるだろう。
【課題を解決するための手段】
【０００６】
流体を処理するためのシステム及び方法が、本明細書で説明される。１つの例示的な実施形態において、システムは紫外線光源及び容器を含む。
【０００７】
本開示の利点及び特徴は、以下の説明及び添付の特許請求の範囲から、より明確となろう。または以降で記載される本開示の実現によって教示され得る。
【図面の簡単な説明】
【０００８】
【図１】本開示の実施形態によるシステムの縦断図である。
【図２】本開示の実施形態によるシステムの上面図である。
【図３】本開示の実施形態によるシステムの上断面図である。
【図４】本明細書で開示するシステムの一部の、壁、チャネル、及びある長さのブラシを示す図である。
【図５】本明細書で開示するシステムの一部の、ある長さのブラシを示す図である。
【図６】本開示の実施形態によるシステムを示す図である。
【図７】本明細書で開示するシステムの一部の、ノズルを示す図である。
【図８】本開示の実施形態による冷却ＵＶシステムを示す図である。
【図９】本開示の実施形態によるシステムを示す図である。
【図１０】本開示の実施形態によるシステムを示す図である。
【図１１】本開示の実施形態によるシステムを示す図である。
【発明を実施するための形態】
【０００９】
以下で説明する、紫外線光を使用してプロセス流体を処理するシステム及び方法は、濃色の流体を含む流体を処理するシステム、望ましくは流体が感覚感受性及び栄養をほとんど劣化させずに、微生物の高い対数減少をもたらすシステムを可能にする。
【００１０】
本開示に従った関連の原理の理解を促進させるために、本明細書で説明する実施形態を参照し、特定の言語を使用して説明する。しかし、それによって開示の範囲を限定することは意図しないことを理解されたい。本明細書で例示される発明の特徴の、任意の変化及びさらなる変更、ならびに、関連分野の当業者及び本開示を所有する当業者が通常思い付く、本明細書で例示される開示の原理の追加的な適用は、主張する開示の範囲内であると考慮されるべきである。
【００１１】
本システム及び方法を開示かつ説明する前に、本開示は、本明細書で開示される特定の構成、プロセスステップ、及び材料に限定されず、したがって構成、プロセスステップ、及び材料が幾分変化し得ることを、理解されたい。本明細書で使用する専門用語は、特定の実施形態を説明するためのみに使用され、限定するように意図されない。なぜなら本開示の範囲は、添付の特許請求の範囲、及びその同等物によってのみ限定されるからである。
【００１２】
本明細書及び添付の特許請求の範囲に使用される、単数形「１つの（ａ、ａｎ）」及び「その（ｔｈｅ）」は、文脈が別途明確に示さない限り、複数形を含むことに留意しなければならない。
【００１３】
本開示の説明及び請求において、以下の専門用語は、下記の記載の定義に従って使用される。
【００１４】
本明細書で使用される用語「備える（ｃｏｍｐｒｉｓｉｎｇ）」、「含む（ｉｎｃｌｕｄｉｎｇ）」、「包含する（ｃｏｎｔａｉｎｉｎｇ）」、「〜を特徴とする（ｃｈａｒａｃｔｅｒｉｚｅｄ  ｂｙ）」、及びそれらの文法的同等語は、包括的すなわちオープンエンドの用語であり、追加、列挙されない要素または方法ステップを除外しない。
【００１５】
本明細書で使用されるフレーズ「〜から成る（ｃｏｎｓｉｓｔｉｎｇ  ｏｆ）」及びその文法的同等語は、特許請求の範囲に明記されない任意の要素、ステップ、または成分を除外する。
【００１６】
本明細書で使用されるフレーズ「実質的に〜から成る（ｃｏｎｓｉｓｔｉｎｇ  ｅｓｓｅｎｔｉａｌｌｙ  ｏｆ）」及びその文法的同等語は、特許請求の範囲を、特定の材料またはステップ、及び請求する開示の基本的かつ新しい特徴に実質的に影響を与えないものに限定する。
【００１７】
用語「重量パーセント」、「重量によるパーセント」、及び「重量％」は全て、組成物の重量によって除算した構成物質の重量を１００で乗算して、構成物質の濃度を示す。本明細書で示される重量パーセンテージは、１〜２、２〜３、１〜３の範囲、及びその中の全ての値を内部に含むよう考慮されるものとする。したがって、重量パーセンテージが１０である場合、これは７及び１３、ならびにそれらの間の全ての値を含み得る。
【００１８】
本開示は、微生物を減少させる一方で、流体の感覚感受性及び栄養特性を大きく損なうことなく、紫外線（ＵＶ）光を使用して流体を処理するシステム及び方法を説明する。
【００１９】
本発明の構成は、透明、不透明、または濃色の流体を含む様々な特性の流体に対して意図され得る。特に、あまり光を通さない流体に対して有用である。サプリメント、ジュース、ミルク、または人もしくは動物が消費する他の流体など、栄養流体が対象にされる。医療及び／または美容の行為、ならびに実施のための流体も、本明細書で開示される処理のシステム及び方法から利益となり得る。ＵＶ光に対する長い露出によって、容易にダメージを受ける感覚感受性、及び他の特性を維持するのが望ましく、かつ内部に存在する微生物を減少させることも望ましい任意の流体は、本明細書で開示されるシステム及び方法を使用する処理から利益を受け得る。
【００２０】
全体的に本発明は、流体中の微生物の高い対数減少をもたらすＵＶ光を使用し、一方で、色、香り、及び感触を含む、栄養及び感覚感受性の特性の多くを維持する、流体処理に向けられる。これは、流体を人の消費に対して安全な流体を作ることを含む多くの文脈において有益であり、一方でこれらの流体の外観、感触、味覚、香り、及び栄養特性を維持する。本明細書で説明される方法及びシステムは、比較的低いレベルのＵＶ光への露出によって、微生物の存在を効率的に減少させる機能により、広い用途に有用である。
【００２１】
本開示は、流体の高乱流と、薄い流体膜または流れの発生を介した流体の小さい径との組み合わせを利用することによって、過去に利用された、紫外線を使用して流体を処理するシステム及び方法の欠点を克服し、先行技術の方法と比較して、ＵＶ光に対する流体の過剰処理を全体的に減少させる。本明細書で説明する、ＵＶ光に対する過剰処理は、紫外線照射に流体の一部を繰り返し露出させることであり、これは、紫外線照射を一度に流体の全延長に貫入することができないためであることが多い。加えて、本明細書で説明するシステム及び方法の、いくつかの実施形態は、互いに対して移動する２つの表面間の流体を処理するシステムを提供し、これは、従来の動水力と比較すると、より強烈な乱流を提供する。これは機能を劇的に向上させ、濃色のプロセス流体においてさえ、微生物の高い対数減少を実現する。いくつかの実施形態は、同時に流体の２つ以上の側にＵＶ光を提供し、それによって機能を劇的に向上させ、濃色のプロセス流体においてさえ、微生物の高い対数減少を実現する。
【００２２】
いくつかの実施形態において、紫外線光を使用するプロセス流体の処理のためのシステムは、流体を壁の内側に提供するよう構成された流体入口と、壁の内側に対して回転して、流体中に薄い膜及び高乱流を生成する乱流機構と、を含む。乱流機構は、ブラシ、ワイパー、第２の壁、または、乱流機構が壁の内側の延長に沿って動くとき、壁の内側に膜を生成できる他の同等の機構とし得る。いくつかの実施形態において、システムは、紫外線光源をさらに含み得る。システムは、流体が壁の内側に沿って動く大半の時間の間、壁の内側にわたって斜めに動く流体の均一な膜を生成するよう、さらに構成され得る。
【００２３】
いくつかの実施形態において、紫外線光を使用してプロセス流体を処理するシステムは、内側を有する壁と、流体入口パイプと、流体を壁の内側に提供するよう構成され、かつ流体入口パイプに接続された少なくとも１つのチャネルと、壁に平行に位置付けられ、かつ壁の内側にブラシをかけるよう構成された少なくとも１本のブラシと、流体が壁の内側を流れ落ちる際に、流体に向けられるよう構成された少なくとも１つの紫外線ランプと、を含む。少なくとも１つのチャネルの各々は、壁の内側と連通して、流体が壁の内側に流れるのを可能にし得る。少なくとも１本のブラシは、壁の内側に沿って動くよう構成され、壁の内側に対して流体にブラシをかけ、流体が少なくとも１つのチャネルを流れ落ちるときに、流体膜を生成し得る。いくつかのシステムはさらに、流体が壁の内側にある時間の大半の間、流体から均一な膜を形成し得る。
【００２４】
いくつかの実施形態において、紫外線光を使用してプロセス流体を処理するシステムは、少なくとも２本のシリンダを含み、一方は他方の内側に、これらのシリンダの壁の間に空隙ができるよう配置される。これらのシリンダは、流体がこれらの壁の間の空隙に流れるよう配置され、互いに対して回転するよう構成され得る。いくつかの実施形態において、これら少なくとも２本のシリンダは、プロセス流体を囲むよう構成される。
【００２５】
いくつかの実施形態において、紫外線光を使用してプロセス流体を処理するシステムは、１セットのプレートを含み、それらの間に流体が流れ、流体がシステムを流れ抜け、プレートのセットの各々の上に流れるときに、光は直ちに流体の２つの側に貫入するよう構成される。
【００２６】
次に図１を参照すると、壁１０２がシステム１００に設けられる。入口パイプ１０４は、流体をシステム１００に提供し得る。少なくとも１つのチャネル１０６は流体入口パイプ１０４に接続され、流体を壁１０８の内側に提供するよう構成され得る。少なくとも１本のブラシ１１０は、壁１０２に平行に位置付けられ、壁１０８の内側にブラシをかけるよう構成され得る。少なくとも１つの紫外線ランプ１１２は、流体が壁１０８の内側を流れ落ちる際に、流体に向けられるよう構成され得る。
【００２７】
いくつかの実施形態において、壁１０２はシリンダを形成し得る。他の形態も使用され得る。シリンダの使用は、その形状が効率を向上させ、より均一な膜を作り出し、かつ跳ね返りを軽減させるので、好ましい場合がある。この全ては、流体がどこに動くかを制御すること、ならびに流体の任意の部分がどれだけ長く紫外線光に露出されるかを良好に予想することから、システムを向上させ得る。いくつかの実施形態において、壁１０２は透明であってよい。いくつかの実施形態において、壁１０２は透明な物質で構成され得る。いくつかの実施形態において、壁１０２は、ガラス、プレキシガラス、または透明プラスチックで構成され得る。これらの材料は、壁１０８の内側に鉱物膜または生体膜が形成されるのを最小限に抑えるか、または防止するのに役立ち得る。石英またはＴｅｆｌｏｎ（登録商標）などの他の材料も使用され得る。なぜなら、紫外線光は壁の前に流体に当たり、それによって壁１０８の内側表面に形成され得る膜の影響を、最小限に抑えるからである。
【００２８】
さらに図１を参照すると、ギアボックス１１４はモータ１１６に接続して使用され、少なくとも１本のブラシ１１０を壁１０８の内側に沿って動かし得る。いくつかの実施形態において、モータ単体（明確に示されない）で、この機能を実施し得る。いくつかの実施形態において、７／１ギア比であり得る５馬力のモータが、この機能を実施し得る。ブラシ１１０は、円筒形の壁の事例において、壁１０８の内側の周りを回転し得る。
【００２９】
いくつかの実施形態において、円筒形の壁の精度は、壁１０８の内側に形成される流体膜を制御するのに役立ち得る。円筒形の壁の半径は、正確に約１／８インチ以下となり得る。半径の精度は、一定で均一の流体膜厚、ならびに乱流の不変性を生成するのに役立ち得る。
【００３０】
いくつかの実施形態において含まれる支持構造を、やはり図１を参照しながら次に説明する。支持構造は、中心軸１１８と、底部アセンブリ１２０と、ブッシングアセンブリ１２２を伴うスパイダとを含み得る。少なくとも１本のブラシ１１０は、中央軸１１８に接続され得る底部アセンブリ１２０にボルトで止められた支持構造上に、収容され得る。スパイダ及びブッシングアセンブリ１２２は、同様に、少なくとも１本のブラシ１１０を安定させ得る。いくつかの実施形態において、少なくとも２本のブラシ１１０を有することが好ましい場合がある。いくつかの実施形態において、少なくとも１本のブラシ１１０を、中心軸１１８に関するウェイト配分のバランスをとるために配置することが好ましい場合がある。いくつかの実施形態において、カウンタウェイトを使用して、中心軸に関するウェイト配分のバランスをとり得る。モータ１１６は中心軸１１８を回転させ、中心軸１１８は、ブラシ１１０を壁１０８の内側の周りに回転させ得る。ブッシングアセンブリは、空気ダクト１２４に装着されたステンレスレース上に載り得るＴｅｆｌｏｎ（登録商標）ブロックを備え得る。関連の技術分野における当業者によって配置され得るよう、他の構成を使用して、ブラシ１１０を壁１０８の内側に沿って回転させ得る。
【００３１】
いくつかの実施形態において、少なくとも１つのチャネル１０６は、少なくとも１本のブラシ１１０のための支持構造に接続され、それによって少なくとも１つのチャネル１０６は、図４に示されるチャネル１０６のように、流体が少なくとも１本のブラシ１１０の前に流れるのを可能にするよう構成され得る。少なくとも１つのチャネル１０６は中心軸１１８に接続され、少なくとも２本のブラシ１１０の前で、流体が直接壁１０８の内側に流れるのを可能にするよう構成され得る。いくつかの実施形態において、少なくとも２つのチャネル１０６ａ及び１０６ｂが好ましい場合がある。チャネルの数は、ブラシの数に対応し得る。
【００３２】
再び図１を参照すると、いくつかの実施形態はトラフ１２６を含み得る。トラフ１２６は、流体フローを、流体入口パイプ１０４から少なくとも１つのチャネル１０６へ接続するよう構成され得る。このトラフは中心軸１１８に接続され、少なくとも１本のブラシ１１０と共に回転し得る。いくつかの実施形態において、このトラフは、少なくとも１本のブラシ１１０と共に動くよう構成され得る。
【００３３】
いくつかの実施形態において、１本以上の流体入口パイプ１０４を使用して、流れをシステム１００の中に導き得る。いくつかの実施形態において、システムのための、４つ以上のチャネル、及び４本以上のブラシを有することが好ましい場合がある。システムのための、少なくとも１６個のチャネル及び１６本のブラシを有することが、さらに好ましい場合がある。チャネル及びブラシの数は、システムの壁の内側に形成される流体膜の径を最小限に抑えるのに役立つことによって、システムを向上させ得る。ブラシの数は、流体膜が紫外線光に露出される時間に従って、最適化され得る。システムのサイズも、チャネル及びブラシの数を決定する要因となり得る。なぜなら、より大きいシステムは、よい多くのチャネル及びブラシを可能にし得るからである。いくつかの実施形態において、チャネルよりも多い数の、ブラシの数が存在し得る。いくつかの実施形態において、チャネル及び使用された場合のトラフは静止され、一方でブラシは、システムの壁の内側に沿って回転し得る。本開示の教示に従って使用され得る流体の様々な特性のため、異なる流体は、異なる構成のチャネル、ブラシ、及び回転能力を必要とし得る。
【００３４】
図２に示されるように、少なくとも１つのチャネル２０６は、システム２００における壁２０８の内側の上部に沿って、互いに対して等距離の固定位置にあるよう構成され得る。いくつかの実施形態において、流体入口パイプ２０４は中央に位置され、比較的同じ量で少なくとも１つのチャネル２０６を満たし得る。いくつかの実施形態において、少なくとも１つのチャネル２０６は、ブラシと共に回転するよう構成され、各チャネル２０６間の角度が概ね等しくなるよう、中心軸２１８に沿って互いに対して等距離とされ得る。同様に、２本以上のブラシ２１０が使用されるとき、これらのブラシ２１０は、やはり互いに対して等距離に位置され得る。
【００３５】
次に図３を参照すると、紫外線ランプ３１２は、壁３０２で形成されたシリンダの内側に位置され得る。いくつかの実施形態において、２つ以上の紫外線ランプが使用され得る。システム３００のサイズに依拠して、１０個より多くの紫外線ランプ３１２を使用することが有利となり得る。より有利には、いくつかのシステムは３２個以上の紫外線ランプ３１２を利用し得る。いくつかの実施形態において、紫外線ランプは、シリンダの内側及びシリンダの外側の両方に位置付けられ、流体をＵＶ照射に、シリンダの内側及び外側の両方から露出させ得る（図示せず）。関連の技術分野における当業者は、出力電力、波長、及び他の関連の要因を考慮し、特定の紫外線ランプに容易に考えつくであろう。
【００３６】
いくつかの実施形態において、紫外線ランプは、華氏１７５〜２２５°の温度で動作し得る。華氏約１９０〜２１０°の温度で動作することが好ましい場合がある。空気ダクト３２４は、紫外線ランプの最適な温度を維持するのに役立ち得る。空気ダクト３２４は、壁３０２の内側における紫外線ランプ３１２のハウスのための構造支持を、追加的に提供し得る。紫外線ランプ３１２を冷却する他の方法として、当技術分野で公知のものが使用され得る。いくつかの実施形態は、紫外線ランプとして低圧水銀灯を使用し得る。さらなる光を含むことは、システムの性能を向上させ得る。
【００３７】
図３に最も良好に示されるように、少なくとも１つの紫外線ランプ３１２は、壁３０２の内側に構成された第２の壁３２８によって、流体の跳ね返りから防護され得る。第２の壁は、紫外線光がそれを透過して流体へ進むのを可能にするために、透明であってよい。第２の壁３２８は、流体が壁３０２の内側に膜を形成するとき、流体と接触しないよう、さらに構成され得る。
【００３８】
図４に最も良好に示されるように、少なくとも１本のブラシ１１０は、剛毛４３０を有するように構成され得る。これらの剛毛４３０は、壁１０２の内側に対してブラシをかけるよう構成され、壁１０２の内側の大半に沿って流体膜を生成し得る。いくつかの実施形態において、１本のブラシ１１０によって形成された流体は、膜が壁１０２の内側の大半を流れ落ちるため、０．１ミリメートル未満の幅であってよい。いくつかの実施形態において、０．１〜１ミリメートルの、より広い幅が、良好に使用され得る。いくつかの実施形態において、３ミリメートルまたはそれ以上の厚さの、より大きい流体厚が有用となり得る。流体膜の幅は、本発明において具現化される様々な構成に基づき変化し、さらに、本発明に実際に使用される流体に基づき変化し得る。流体厚は、どれほどの流体が一度にＵＶ光に露出されるかに影響するため、重要である。貫入ゾーンは、流体中の色及び粒子が光を遮断し、微生物の不活性化を阻む前に、ＵＶ光に露出される流体厚の部分である。より濃色か、または光を遮断する粒子をより多く有する流体は、一般に小さい貫入ゾーンを有する。なぜなら、光は流体厚の第１の部分にしか貫入できないからである。処理中の、より薄い流体厚は、流体厚のうちでより大きい比率の貫入ゾーンを可能にする。例のみとして、流体の貫入ゾーンが０．０１ミリメートルである場合、０．１ミリメートルの膜厚は、流体の１０％を一度にＵＶ光に露出させ、その一方で、１ミリメートルの膜厚は、同じ流体の１％しかＵＶ光に露出させない。さらに、乱流が流体を混合するために使用され、流体が壁１０２の内側に沿って動かされる際に、流体の異なる部分が貫入ゾーンの中に動くよう、流体がシステムを通して動くとき、流体の新たな部分を光に露出させるのを可能にする。上述のような流体の過剰処理は、流体の一部がＵＶ光に再露出されたときに生じ、処理された流体が離れた後で貫入ゾーンに再び入るときに生じることが多い。流体の過剰処理は、貫入ゾーンが流体厚のうちで、より大きい比率であるとき、大幅に軽減される。より大きい流体の部分が、任意の時間にＵＶ照射に露出されるとき、ほとんどまたはほぼ全ての流体の部分を、ＵＶ照射に露出させるために、僅かな乱流しか必要としない。これは、処理においてＵＶ照射に再露出される流体の量を減少させる。減少した過剰処理は、流体の感覚感受性及び栄養をあまり劣化させない。微生物の高い対数減少は、処理の進行中に流体の大部分がＵＶ光に露出されたとき、実現される。したがって、システムは、流体の大部分をＵＶ光に同時に露出させ、その一方で、高レベルの流体乱流を発生させながら流体膜厚を減少させることによって、流体の過剰処理を最小限に抑える。いくつかの実施形態において、少なくとも１本のブラシ１１０は、Ｔｅｆｌｏｎ（登録商標）から構成され得る。いくつかの実施形態において、劣化することなくＵＶ光に抵抗できる、他の材料が使用され得ることが好ましい。
【００３９】
図５に示されるように、少なくとも１本のブラシ１１０は、剛毛５３２をさらに備え得る。いくつかの実施形態において、剛毛は、互いから０．０２〜０．０３インチ離して構成され得る。いくつかの実施形態において、剛毛は０．０１５〜０．０３インチの径であってよい。いくつかの実施形態において、剛毛は約０．５〜１．５インチの長さであってよい。約１インチの長さの剛毛を有することも好ましい場合がある。約０．０２０〜約０．０２８インチの径の剛毛を有することが、さらに好ましい場合がある。約０．０２５インチ離した剛毛を有することが、さらに好ましい場合がある。
【００４０】
図６に示されるように、いくつかの実施形態は、少なくとも１つのスプレーノズル６３８をさらに備え得る。いくつかの実施形態において、少なくとも１つのスプレーノズル６３８は、乱流機構にスプレーするよう構成され得る。いくつかの実施形態において、少なくとも１つのスプレーノズル６３８は、少なくとも１本のブラシ１１０を洗浄するよう構成され得る。少なくとも１つのスプレーノズル６３８は、洗浄目的のために、乱流機構上に洗浄液をスプレーするよう、さらに構成され得る。いくつかの実施形態において、少なくとも１つのスプレーノズル６３８は、少なくとも１本のブラシ１１０をスプレーして、プロセス流体によって残されたごみを洗浄するよう構成され得る。
【００４１】
いくつかの実施形態において、２つ以上のスプレーノズル６３８を有することが好ましい場合がある。いくつかの実施形態において、ノズルをセットで配置することが好ましい場合がある。いくつかの実施形態において、１〜１００個のスプレーノズルを有することが好ましい場合がある。いくつかの実施形態において、５〜１０セットのノズルを有することがより好ましい場合がある。スプレーノズルの好ましい数は、流体の特性及びシステムのサイズに依拠して変化し得る。少なくとも１つのスプレーノズル６３８は、少なくとも１本のブラシ１１０の全長をスプレーするよう構成され得る。
【００４２】
いくつかの実施形態において、少なくとも１つのスプレーノズル６３８は静止するよう構成され得る。システム１００は、少なくとも１本のブラシ１１０を、洗浄のために中心軸１１８の周りに回転させるよう構成され得る。いくつかの実施形態において、少なくとも１つのスプレーノズル６３４及び少なくとも１つのスプレーノズル６３４ａの両方は、図１に示される壁１０８の内側及び図３に示される第２の壁３２８を含む、システム６００の洗浄を容易にするために、回転するよう構成され得る。いくつかの実施形態において、少なくとも１つのスプレーノズル６３８及び少なくとも１本のブラシ１１０は、洗浄中に静止され続けるよう構成され得る。いくつかの実施形態において、第２の少なくとも１つのスプレーノズル６３４は、少なくとも１つのスプレーノズル６３８を縦に並べて使用されるよう構成され得る。いくつかの実施形態において、静止したスプレーノズル、及び回転するスプレーノズルが存在し得る。
【００４３】
いくつかの実施形態において、少なくとも１つのスプレーノズル６３８は、少なくとも１本のブラシ１１０にスプレーするよう設置されるよう構成され得る。これは、システム１００における外部または内部位置からであってよく、第２の内壁３２８または壁１０８の内側を含む。図６に示されるように、駆動機構は構造体の底部に位置付けられる。
【００４４】
第１のポート６３６は、洗浄液がシステム１００の中に入るのを可能にし得る。システム１００は、ポート６３６に接続された少なくとも１つのダクト６４２、及び少なくとも１つのスプレーノズル６３８をさらに備え、それによってシステム１００は、洗浄液が入口６３６から少なくとも１つのスプレーノズル６３８に流れるのを可能にするよう構成され得る。システム１００は、洗浄中に流体がシステム１００を通って動くよう構成された、第２のポート６４０をさらに備え得る。
【００４５】
図７に示されるように、少なくとも１つのスプレーノズルは、少なくとも１つのダクト６４２に接続された少なくとも１セットのスプレーノズル７４４を備え、洗浄液をある角度で少なくとも１本のブラシ１１０にスプレーするよう構成されるよう、システム１００に設置され得る。いくつかの実施形態において、少なくとも１セットのスプレーノズルの角度は、壁から約４５°であってよい。いくつかの実施形態において、３０〜６０°の角度が使用され得る。いくつかの実施形態において、少なくとも１セットのスプレーノズル７４４における対のスプレーノズルの各々は、互いから概ね９０°で構成され得る。いくつかの実施形態において、少なくとも１セットのスプレーノズル７４４間の角度は、５０〜１５０°であってよい。いくつかの実施形態において、少なくとも１セットのスプレーノズル７４４は、少なくとも１本のブラシ１１０の両側をスプレーするよう構成され得る。
【００４６】
いくつかの実施形態において、少なくとも１つのスプレーノズル６３８、少なくとも１つのダクト６４２、及び入口６３６、少なくとも１つのスプレーノズル６３４、及び少なくとも１つのスプレーノズル６３４ａは、システムから取り外し可能である。いくつかの実施形態において、少なくとも１つのスプレーノズル６３８、少なくとも１つのダクト６４２、入口６３６、少なくとも１つのスプレーノズル６３４、及び少なくとも１つのスプレーノズル６３４ａは、プロセス流体の処理中に所定の位置に残る。
【００４７】
次に図８を参照すると、紫外線ランプ８１２は、冷却流体８４６によって取り囲まれ得る。冷却流体８４６は、容器８４８によって紫外線ランプ８１２の周りに囲まれ得る。容器８４８は、石英、Ｔｅｆｌｏｎ（登録商標）、または紫外線光を通過させながら冷却流体８４６の中で保持可能な他の物質で作られ得る。いくつかの実施形態において、容器８４８は、冷却流体が、冷却入口８５０及び冷却出口８５２を介してシステムを出入りして、紫外線ランプを冷却する。いくつかの実施形態において、冷却流体８４６は、水、脱イオン水、オイル、溶媒、または紫外線ランプ８１２に堆積物を残さず紫外線光が透過できる、他の材料であってよい。いくつかの実施形態において、冷却流体は空気よりも好ましい。なぜなら、紫外線ランプ８１２を通り過ぎるときに、紫外線ランプ８１２からの粒子または埃も除去し、それによってシステム１００に最大の紫外線を存在させ続けるからである。
【００４８】
次に図９を参照すると、いくつかの実施形態において、システム９００は、外部シリンダ９５４及び内部シリンダ９５６を備え得る。外部シリンダ９５４及び内部シリンダ９５６は、それらの間に配された流体が囲まれかつ非常に薄くなるよう、互いに対して回転するよう構成され得る。いくつかの実施形態において、シリンダ９５４及び９５６は、約０．０１０〜約１．０インチよりも大きいプロセス流体の厚さを生成するよう構成され得る。濃さ及びプロセス流体中で可能な紫外線光の貫入に依拠して、この範囲内の様々な厚さが好ましい場合がある。いくつかの実施形態において、一方のシリンダは静止するよう構成され、他方のシリンダは回転するよう構成され得る。この回転は、少なくとも１つの紫外線ランプ９１２に対して高く速い露出を伴う、非常に大きい乱流を流体に生成することになる。少なくとも１つの紫外線ランプ９１２は、内部シリンダ９５６の内側に設置され得る。いくつかの実施形態において、少なくとも１つの紫外線ランプ９１２は、外部シリンダ９５４の外側に設置され得る。いくつかの実施形態において、少なくとも１つの紫外線ランプ９１２は、内部シリンダ９５６の内側及び外部シリンダ９５４の外側に設置され得る。
【００４９】
内部シリンダ９５６及び外部シリンダ９５４は、紫外線光の大部分を透過させる材料で作られ得る。このような材料として、石英、Ｔｅｆｌｏｎ（登録商標）、及び最小限の紫外線光を遮断する同等の材料が挙げられ得る。
【００５０】
システム９００は、流体が内部シリンダ９５６と外部シリンダ９５４との間の空間に入るよう構成された、流体入口パイプ９０４をさらに備え得る。システムは、出口９４０も有し得る。
【００５１】
いくつかの実施形態において、内部シリンダ９５６及び外部シリンダ９５４の表面は、平滑であってよい。いくつかの実施形態において、内部シリンダ９５６及び外部シリンダ９５４の表面は、プロセス流体中の乱流を増加させるために、粗面であってよい。
【００５２】
互いに対するシリンダの回転速度は、プロセス流体の特性に依拠し得る。これらの特性は、粘性、及びシリンダ間を移動する際の流体厚などを含む。いくつかの実施形態において、回転速度は、約５〜５０フィート／秒であってよい。
【００５３】
囲まれたシステムに関する実施形態は、プロセス流体を空気に露出させず、したがって空気中の汚染物質ならびにプロセス流体の酸化を避けるという利点を有し得る。高乱流及び薄い膜を伴う実施形態は、多くの光を入れない濃色の流体でさえ、紫外線光に対して非常に良好な露出を提供する。
【００５４】
図１０に示されるように、いくつかの実施形態は、示されるように重複するよう構成されたプレート１０５８のシステムを備え得る。それによってプレート間の空間は流体フローチャネル１０６０を形成し、それは、プロセス流体がシステム１０００を流れ抜ける際に、形成される流体フローの両方の側において、プロセス流体を紫外線ランプ１０１２に露出させるよう構成される。これはさらに、紫外線ランプ１０１２のセットがプレート１０５８のセットに挟まれ得るよう構成され得る。プレート１０５８は、対で配置され得る。これらの対は、示されるように流体フローチャネル１０６０を形成し得る。紫外線ランプ１０１２の各々からの紫外線光は、プレート１０５８の各対の２つの側に貫入し得る。入口１００４は、プロセス流体をシステム１０００に入れるよう構成され得る。出口１０４０は、プロセス流体をシステム１０００から出すよう構成され得る。いくつかの実施形態において、プレート１０５８は連続したフローに配置され、それによってプレート１０５８は、流体を第１のプレートの上部からこの第１のプレートの底部へ流し、少なくとも第２のプレートの上部の中に流すよう構成され得る。いくつかの実施形態において、システムが流体を、複数のプレートのために下方へ、及び複数のプレートのために上方へと両方に流れるよう構成されるように、平行の流体フローが使用され得る。好ましい実施形態は、粘性、濁度、及び必要とされる紫外線の露出時間を含むプロセス流体の特性に基づいて、構成、サイズ、及びフローの長さの間で変化し得る。
【００５５】
プレートを伴うシステムの利点は、洗浄の容易さ、及び上記で説明した利点を含む。このようなシステムは、流体フローの間に可動部品を含まず、したがって維持管理は少ない。このようなシステムは、流体フローが重複するために、流体フローチャネルの長さに対して設置面積がより小さく、したがってコストを減少させる利点も有し得る。
【００５６】
図１１に示されるように、プレート１１５８はガスケット材料をさらに備え得る。このガスケット材料はプレートの中に延び、プロセス流体が移動するための経路が長くなるよう、したがってプロセス流体の流速を低減させて、とどまる時間を延ばすよう構成される。ガスケット１１６２を伴う実施形態は、粘性、濁度、及び必要とされる紫外線露出時間を含むプロセス流体の特性のために、最適化され得る。プレート１１５８は、流体が出入りし得る少なくとも２つのポート１１６４ａ及び１１６４ｂを有し得る。これらのポートは、望ましい流体フローに依拠して、入口または出口として役立ち得る。
【００５７】
ガスケット厚１１６６は、プロセス流体がシステム１０００を流れ抜ける際の厚さを決定するよう構成され得る。いくつかの実施形態において、ガスケット厚１１６６は、約０．０１０〜約１．０インチよりも大きくてよい。この好ましい厚さは、粘性及び濁度を含むプロセス流体の特性に基づいて変化し得る。
【００５８】
紫外線光を使用してプロセス流体を処理する方法も、開示される。この方法は、内側を有する壁を提供するステップ；少なくとも１つのチャネルに接続された入口パイプによって、流体を壁の内側に提供するステップ；少なくとも１本のブラシを用いて、壁の内側に対して流体にブラシをかけ、壁の内側に沿って流体膜を生成するステップ；及び流体が壁の内側に対してブラシをかけられる際に、紫外線光が流体に向けられるように構成されるよう、少なくとも１つの紫外線光を壁の近くに提供するステップを含む。少なくとも１つのチャネルは、流体を壁の内側に提供し、それによって流体が壁の内側に流れ落ちるよう構成される。少なくとも１本のブラシは、壁の長手方向側に平行に位置付けられる。この方法は、モータを使用して、少なくとも１本のブラシを、壁の内側に沿って動かすステップをさらに含む。
【００５９】
いくつかの実施形態において、これらのステップは、ブラシの前の壁に沿って少なくとも１つのチャネルを動かし、それによって流体が少なくとも１本のブラシの前の、壁の内側に提供されるステップを含み得る。いくつかの実施形態は、入口パイプから流体を集積するよう構成されたトラフによって、流体を少なくとも１つのチャネルに提供するステップをさらに含む。このトラフは、少なくとも１本のブラシと共に動くよう、または壁のように静止したままとなるよう構成され得る。いくつかの実施形態において、少なくとも２つのチャネルが使用され、内壁の上部に沿って互いから等間隔で構成され得る。少なくとも１つのチャネルは、少なくとも１本のブラシと共に動くか、または壁と共に静止したままとなり得る。
【００６０】
いくつかの実施形態において、流体が壁の内側にある時間の大半の間、流体膜は均一である。本方法によって生成される流体膜は、０．１ミリメートル未満の幅であってよい。
【００６１】
いくつかの実施形態において、少なくとも１つの紫外線光は、第２の壁によって流体から防護され得る。壁及び第２の壁は、透明な物質で構成され得る。
【００６２】
いくつかの実施形態において、壁はシリンダを形成し得る。このような実施形態において、少なくとも１つの紫外線光は、シリンダの内側に位置付けられ得る。この方法は、壁がシリンダを形成する場合、少なくとも１本のブラシを、モータを使用して壁の内側に沿って回転させるステップをさらに含む。少なくとも１本のブラシは、モータによって回転する中心軸に装着され得る。
【００６３】
いくつかの実施形態において、少なくとも１本のブラシは、少なくとも２本のブラシを備え、いくつかの事例において、少なくとも２本のブラシは、壁の内側に沿って互いから等間隔で設けられ得る。少なくとも１本のブラシは、剛毛をさらに備え得る。いくつかの実施形態において、剛毛は、０．０１５〜０．０３インチの径、及び互いから０．０２〜０．０３インチ離して構成され得る。
【００６４】
前述において、紫外線光を使用してプロセス流体を処理するシステム及び方法を、回転ブラシを利用して説明した。これらの回転ブラシは、より大きい乱流、より大きい処理表面積、及び膜をより均一に作り出す。本明細書では、特に濃色の流体及び光を多く通さない流体において、微生物の高い対数減少を生じさせるために必要なＵＶ光の過剰処理を、最小限に抑えるうえで有用な、非常に薄い流体膜を生成する方法及びシステムも提供される。
【００６５】
前述において、システムの特徴及び種類は、方法によって利用されること、及びその逆もあることを理解されたい。本開示は、システムとして、または方法としてのみ説明した特徴によって限定されるものと解釈するべきではなく、実行可能となるように交換できる。
【００６６】
前述の発明を実施するための形態において、本開示の様々な特徴が、開示を簡素化する目的で、単一の実施形態に共にグループ化されている。本開示の方法は、請求する開示が、各特許請求項に明示的に列挙されるよりも多くの特徴を必要とする意図を反映するものと、解釈するべきではない。むしろ、以下の特許請求の範囲が反映するように、発明の態様は、上記で開示した任意の単一の実施形態における全ての特徴未満となる。したがって、以下の特許請求の範囲は、参照によって発明を実施するための形態に組み込まれ、各特許請求項はそれ自体で本開示の別個の実施形態として成り立つ。
【００６７】
上述の装置は、本開示の原理の適用における例示のみであることを理解されたい。多くの変更及び代替の装置が、当業者によって、本開示の趣旨及び範囲から逸脱することなく考案され得る。添付の特許請求の範囲は、このような変更及び装置を網羅するよう意図される。したがって、本開示を図面に示し、具体的かつ詳細に上述したが、数量、比率、材料、ならびに製造及び使用方法を含むが限定ではない多くの変更が、当業者には、本明細書に記載された原理及び構想から逸脱することなく成され得る。
【００６８】
追加の仕様支援
実施形態１
紫外線光を使用してプロセス流体を処理するシステムであって、
流体をシステムに提供するよう構成された、流体入口と、
薄い流体厚を生成するよう構成された、乱流機構と、
紫外線ランプと
を含む、システム。
【００６９】
実施形態２
乱流機構は少なくとも２枚のプレートを含み得る、実施形態１に記載のシステム。
【００７０】
実施形態３
少なくとも２枚のプレートは、紫外線範囲において電磁信号を生成するよう構成され得る、実施形態２に記載のシステム。
【００７１】
実施形態４
紫外線光を使用してプロセス流体を処理するシステムであって、
流体を壁の内側に提供するよう構成された、流体入口と、
壁の内側に沿って回転させるよう構成され、壁の内側に沿って薄い流体膜を生成するよう構成された、乱流機構と
を含む、システム。
【００７２】
実施形態５
乱流機構は、流体中に高乱流を生成するようさらに構成される、実施形態４に記載のシステム。
【００７３】
実施形態６
乱流機構は、ブラシ、ワイパー、及び第２の壁のうち少なくとも１つから構成され得る、実施形態４に記載のシステム。
【００７４】
実施形態７
紫外線光源をさらに含む、実施形態４に記載のシステム。
【００７５】
実施形態８
流体が壁の内側に沿って動く大半の時間の間、壁の内側にわたって斜めに動く均一な流体膜を生成するようにさらに構成される、実施形態４に記載のシステム。
【００７６】
実施形態９
紫外線光を使用してプロセス流体を処理するシステムであって、
内側を有する壁と、
流体入口パイプと、
流体入口パイプに接続され、かつ流体を壁の内側に提供するよう構成された、少なくとも１つのチャネルと、
壁に平行に位置付けられ、かつ壁の内側にブラシをかけるよう構成された、少なくとも１本のブラシと、
流体が壁の内側を流れ落ちる際に、流体に向けられるよう構成された、少なくとも１つの紫外線ランプと
を備え、
少なくとも１つのチャネルの各々は、壁の内側と連通して、流体が壁の内側に流れるのを可能にし、
少なくとも１本のブラシは、壁の内側に沿って動くよう構成され、壁の内側に対して流体にブラシをかけ、流体が少なくとも１つのチャネルを流れ落ちるときに流体膜を生成する、システム。
【００７７】
実施形態１０
流体が壁の内側にある時間の大半の間、流体は均一の膜を形成する、実施形態９に記載のシステム。
【００７８】
実施形態１１
壁はシリンダを形成する、実施形態９に記載のシステム。
【００７９】
実施形態１２
壁は透明の物質から構成される、実施形態９に記載のシステム。
【００８０】
実施形態１３
壁は、ガラス、プレキシガラス、または透明プラスチックから構成される、実施形態９に記載のシステム。
【００８１】
実施形態１４
膜が壁の内側の大半を流れ落ちる際に、膜は０．１ミリメートル未満の幅である、実施形態１０に記載のシステム。
【００８２】
実施形態１５
少なくとも１本のブラシを動かすよう構成されたモータをさらに含む、実施形態９に記載のシステム。
【００８３】
実施形態１６
少なくとも１本のブラシは、壁の内側の周りを回転する、実施形態１２に記載のシステム。
【００８４】
実施形態１７
少なくとも１つの紫外線ランプは、壁によって形成されたシリンダの内側に位置付けられる、実施形態１２に記載のシステム。
【００８５】
実施形態１８
少なくとも１つの紫外線ランプは、壁の内側に構成された第２の壁によって、流体の跳ね返りから防護される、実施形態１７に記載のシステム。
【００８６】
実施形態１９
少なくとも１つのチャネルは、少なくとも１本のブラシのための支持構造に接続され、それによって少なくとも１つのチャネルは、流体が少なくとも１本のブラシの前に流れるのを可能にするよう構成される、実施形態９に記載のシステム。
【００８７】
実施形態２０
少なくとも１本のブラシは、互いから等間隔に位置付けられた、少なくとも２本のブラシを含む、実施形態１２に記載のシステム。
【００８８】
実施形態２１
少なくとも２本のブラシは、モータによって回転する中心軸に接続される、実施形態２０に記載のシステム。
【００８９】
実施形態２２
少なくとも１つのチャネルは、中心軸に接続され、かつ流体が少なくとも２本のブラシの各々の前に、壁の内側に直接流れるよう構成される、実施形態２１に記載のシステム。
【００９０】
実施形態２３
流体入口パイプからの流体フローを、少なくとも１つのチャネルへ接続するよう構成されたトラフをさらに含む、実施形態９に記載のシステム。
【００９１】
実施形態２４
トラフは、少なくとも１本のブラシと共に動くよう構成される、実施形態１７に記載のシステム。
【００９２】
実施形態２５
少なくとも１つのチャネルは、壁の内側の上部に沿って、互いに対して等距離の固定位置にあるよう構成される、実施形態９に記載のシステム。
【００９３】
実施形態２６
少なくとも１本のブラシは、ポリテトラフルオロエチレンで構成される、実施形態９に記載のシステム。
【００９４】
実施形態２７
少なくとも１本のブラシは、複数の剛毛をさらに含む、実施形態９に記載のシステム。
【００９５】
実施形態２８
剛毛は、互いから０．０２〜０．０３インチ離して構成される、実施形態２７に記載のシステム。
【００９６】
実施形態２９
剛毛は、０．０１５〜０．０３インチの径を有する、実施形態２７に記載のシステム。
【００９７】
実施形態３０
紫外線光を使用してプロセス流体を処理する方法であって、
内側を有する壁を提供するステップと、
少なくとも１つのチャネルに接続された入口パイプによって、流体を壁の内側に提供するステップと、
少なくとも１本のブラシを用いて、壁の内側に対して流体にブラシをかけ、壁の内側に沿って流体膜を生成するステップと、
壁の近くに少なくとも１つの紫外線光を提供し、それによって流体が壁の内側に対してブラシをかけられる際に、紫外線光が流体に向けられるよう構成されるステップと
を含み、
少なくとも１つのチャネルは、流体を壁の内側に提供し、それによって流体が壁の内側に流れ落ち、
少なくとも１本のブラシは、壁の長手方向側に平行に位置付けられる、方法。
【００９８】
実施形態３１
流体が壁の内側にある時間の大半の間、流体膜は均一である、実施形態３０に記載の方法。
【００９９】
実施形態３２
壁はシリンダを形成する、実施形態３０に記載の方法。
【０１００】
実施形態３３
壁は透明の物質から構成される、実施形態３０に記載の方法。
【０１０１】
実施形態３４
流体膜は０．１ミリメートル未満の幅である、実施形態３２に記載の方法。
【０１０２】
実施形態３５
少なくとも１本のブラシを、モータを使用して壁の内側に沿って動かすステップをさらに含む、実施形態３０に記載の方法。
【０１０３】
実施形態３６
少なくとも１つの紫外線光は、シリンダの内側に位置付けられる、実施形態３２に記載の方法。
【０１０４】
実施形態３７
少なくとも１つの紫外線光は、第２の壁によって流体から防護される、実施形態３０に記載の方法。
【０１０５】
実施形態３８
少なくとも１本のブラシを、モータを使用して壁の内側に沿って回転させるステップをさらに含む、実施形態３２に記載の方法。
【０１０６】
実施形態３９
少なくとも１本のブラシは、モータによって回転する中心軸に接続される、実施形態３８に記載の方法。
【０１０７】
実施形態４０
ブラシの前の壁に沿って少なくとも１つのチャネルを動かし、それによって流体が、少なくとも１本のブラシの前の、壁の内側に提供されるステップをさらに含む、実施形態３０に記載の方法。
【０１０８】
実施形態４１
入口パイプから流体を集積するよう構成されたトラフによって、流体を少なくとも１つのチャネルに提供するステップをさらに含む、実施形態４０に記載の方法。
【０１０９】
実施形態４２
トラフは、少なくとも１本のブラシと共に動くよう構成される、実施形態４１に記載の方法。
【０１１０】
実施形態４３
少なくとも１本のブラシは、少なくとも２本のブラシを含む、実施形態３０に記載の方法。
【０１１１】
実施形態４４
少なくとも２本のブラシは、壁の内側に沿って互いから等間隔で提供される、実施形態４３に記載の方法。
【０１１２】
実施形態４５
少なくとも１つのチャネルは、内壁の上部に沿って、互いに対して等距離になるよう構成される、実施形態３０に記載の方法。
【０１１３】
実施形態４６
少なくとも１本のブラシは、剛毛をさらに含む、実施形態３０に記載の方法。
【０１１４】
実施形態４７
剛毛は、０．０１５〜０．０３インチの径、及び互いから０．０２〜０．０３インチ離して構成される、実施形態４３に記載の方法。
【手続補正２】
【補正対象書類名】特許請求の範囲
【補正対象項目名】全文
【補正方法】変更
【補正の内容】
【特許請求の範囲】
【請求項１】
紫外線光を使用してプロセス流体を処理するシステムであって、
流体を前記システムに提供するよう構成された、流体入口と、
薄い流体厚を生成するよう構成された、乱流機構のセットと、
紫外線ランプのセットと
を備え、
前記乱流機構のセットは、前記紫外線ランプのセットに挟まれ、それによって前記紫外線ランプのセットの各々からの紫外線光は、前記乱流機構のセットの各々について２つの側に貫入する、システム。
【請求項２】
前記乱流機構のセットの各々は１対のプレートを含み得る、請求項１に記載のシステム。
【請求項３】
前記紫外線ランプのセット及び前記紫外線ランプのセットは、前記紫外線ランプのセットの各々からの紫外線光が、前記乱流機構のセットの各々について２つの側に貫入するよう、さらに構成される、請求項２に記載のシステム。
【請求項４】
紫外線光を使用してプロセス流体を処理するシステムであって、
流体を壁の内側に提供するよう構成された、流体入口と、
前記壁の内側に沿って回転させるよう構成され、前記壁の内側に沿って薄い流体膜を生成するよう構成された、乱流機構と
を含む、システム。
【請求項５】
前記乱流機構は、流体中に高乱流を生成するようさらに構成される、請求項４に記載のシステム。
【請求項６】
前記乱流機構は、ブラシ、ワイパー、及び第２の壁のうち少なくとも１つから構成され得る、請求項４に記載のシステム。
【請求項７】
紫外線光源をさらに備える、請求項４に記載のシステム。
【請求項８】
流体が前記壁の内側に沿って動く大半の時間の間、前記壁の内側にわたって斜めに動く均一な流体膜を生成するようにさらに構成される、請求項４に記載のシステム。
【請求項９】
紫外線光を使用してプロセス流体を処理するシステムであって、
内側を有する壁と、
流体入口パイプと、
前記流体入口パイプに接続され、かつ流体を前記壁の内側に提供するよう構成された、少なくとも１つのチャネルと、
前記壁に平行に位置付けられ、かつ前記壁の内側にブラシをかけるよう構成された、少なくとも１本のブラシと、
流体が前記壁の内側を流れ落ちる際に、流体に向けられるよう構成された、少なくとも１つの紫外線ランプと
を備え、
少なくとも１つの前記チャネルの各々は、前記壁の内側と連通して、流体が前記壁の内側に流れるのを可能にし、
少なくとも１本の前記ブラシは、前記壁の内側に沿って動くよう構成され、前記壁の内側に対して流体にブラシをかけ、流体が少なくとも１つの前記チャネルを流れ落ちるときに流体膜を生成する、システム。
【請求項１０】
流体が前記壁の内側にある時間の大半の間、流体は均一の膜を形成する、請求項９に記載のシステム。
【請求項１１】
前記壁はシリンダを形成する、請求項９に記載のシステム。
【請求項１２】
前記壁は透明の物質から構成される、請求項９に記載のシステム。
【請求項１３】
前記壁は、ガラス、プレキシガラス、または透明プラスチックから構成される、請求項９に記載のシステム。
【請求項１４】
前記膜が前記壁の内側の大半を流れ落ちる際に、前記膜は０．１ミリメートル未満の幅である、請求項１０に記載のシステム。
【請求項１５】
少なくとも１本の前記ブラシを動かすよう構成されたモータをさらに含む、請求項９に記載のシステム。
【請求項１６】
少なくとも１本の前記ブラシは、前記壁の内側の周りを回転する、請求項１２に記載のシステム。
【請求項１７】
少なくとも１つの前記紫外線ランプは、前記壁によって形成されたシリンダの内側に位置付けられる、請求項１２に記載のシステム。
【請求項１８】
少なくとも１つの前記紫外線ランプは、前記壁の内側に構成された第２の壁によって、流体の跳ね返りから防護される、請求項１７に記載のシステム。
【請求項１９】
少なくとも１つの前記チャネルは、少なくとも１本の前記ブラシのための支持構造に接続され、それによって少なくとも１つの前記チャネルは、流体が少なくとも１本の前記ブラシの前に流れるのを可能にするよう構成される、請求項９に記載のシステム。
【請求項２０】
少なくとも１本の前記ブラシは、互いから等間隔に位置付けられた、少なくとも２本のブラシを含む、請求項１２に記載のシステム。
【請求項２１】
少なくとも２本の前記ブラシは、モータによって回転する中心軸に接続される、請求項２０に記載のシステム。
【請求項２２】
少なくとも１つの前記チャネルは、前記中心軸に接続され、かつ流体が少なくとも２本の前記ブラシの各々の前に、前記壁の内側に直接流れるよう構成される、請求項２１に記載のシステム。
【請求項２３】
前記流体入口パイプからの流体フローを、少なくとも１つの前記チャネルへ接続するよう構成されたトラフをさらに備える、請求項９に記載のシステム。
【請求項２４】
トラフは、少なくとも１本の前記ブラシと共に動くよう構成される、請求項１７に記載のシステム。
【請求項２５】
少なくとも１つの前記チャネルは、前記壁の内側の上部に沿って、互いに対して等距離の固定位置にあるよう構成される、請求項９に記載のシステム。
【請求項２６】
少なくとも１本の前記ブラシは、ポリテトラフルオロエチレンで構成される、請求項９に記載のシステム。
【請求項２７】
少なくとも１本の前記ブラシは、複数の剛毛をさらに備える、請求項９に記載のシステム。
【請求項２８】
前記剛毛は、互いから０．０２〜０．０３インチ離して構成される、請求項２７に記載のシステム。
【請求項２９】
前記剛毛は、０．０１５〜０．０３インチの径を有する、請求項２７に記載のシステム。
【請求項３０】
紫外線光を使用してプロセス流体を処理する方法であって、
内側を有する壁を提供するステップと、
少なくとも１つのチャネルに接続された入口パイプによって、流体を前記壁の内側に提供するステップと、
少なくとも１本のブラシを用いて、前記壁の内側に対して流体にブラシをかけ、前記壁の内側に沿って流体膜を生成するステップと、
前記壁の近くに少なくとも１つの紫外線光を提供し、それによって流体が前記壁の内側に対してブラシをかけられる際に、前記紫外線光が流体に向けられるよう構成されるステップと
を含み、
少なくとも１つの前記チャネルは、流体を前記壁の内側に提供し、それによって流体が前記壁の内側に流れ落ち、
少なくとも１本の前記ブラシは、前記壁の長手方向側に平行に位置付けられる、方法。
【請求項３１】
流体が前記壁の内側にある時間の大半の間、前記流体膜は均一である、請求項３０に記載の方法。
【請求項３２】
前記壁はシリンダを形成する、請求項３０に記載の方法。
【請求項３３】
前記壁は透明の物質から構成される、請求項３０に記載の方法。
【請求項３４】
前記流体膜は０．１ミリメートル未満の幅である、請求項３２に記載の方法。
【請求項３５】
少なくとも１本の前記ブラシを、モータを使用して前記壁の内側に沿って動かすステップをさらに含む、請求項３０に記載の方法。
【請求項３６】
少なくとも１つの前記紫外線光は、前記シリンダの内側に位置付けられる、請求項３２に記載の方法。
【請求項３７】
少なくとも１つの前記紫外線光は、第２の壁によって流体から防護される、請求項３０に記載の方法。
【請求項３８】
少なくとも１本の前記ブラシを、モータを使用して前記壁の内側に沿って回転させるステップをさらに含む、請求項３２に記載の方法。
【請求項３９】
少なくとも１本の前記ブラシは、前記モータによって回転する中心軸に接続される、請求項３８に記載の方法。
【請求項４０】
前記ブラシの前の前記壁に沿って少なくとも１つの前記チャネルを動かし、それによって流体が、少なくとも１本の前記ブラシの前の、前記壁の内側に提供されるステップをさらに含む、請求項３０に記載の方法。
【請求項４１】
前記入口パイプから流体を集積するよう構成されたトラフによって、流体を少なくとも１つの前記チャネルに提供するステップをさらに含む、請求項４０に記載の方法。
【請求項４２】
前記トラフは、少なくとも１本の前記ブラシと共に動くよう構成される、請求項４１に記載の方法。
【請求項４３】
少なくとも１本の前記ブラシは、少なくとも２本のブラシを含む、請求項３０に記載の方法。
【請求項４４】
少なくとも２本の前記ブラシは、前記壁の内側に沿って互いから等間隔で提供される、請求項４３に記載の方法。
【請求項４５】
少なくとも１つの前記チャネルは、内壁の上部に沿って、互いに対して等距離になるよう構成される、請求項３０に記載の方法。
【請求項４６】
少なくとも１本の前記ブラシは、剛毛をさらに含む、請求項３０に記載の方法。
【請求項４７】
剛毛は、０．０１５〜０．０３インチの径、及び互いから０．０２〜０．０３インチ離して構成される、請求項４３に記載の方法。
【請求項４８】
紫外線光を使用してプロセス流体を処理するシステムであって、
内側を有する壁と、
流体入口パイプと、
前記流体入口パイプに接続され、かつ流体を前記壁の内側に提供するよう構成された、少なくとも１つのチャネルと、
前記壁に平行に位置付けられ、かつ前記壁の内側にブラシをかけるよう構成された、少なくとも１本のブラシと、
流体が前記壁の内側を流れ落ちる際に、流体に向けられるようよう構成された、少なくとも１つの紫外線ランプと、
少なくとも１つのスプレーノズルと
を備え、
少なくとも１つの前記チャネルの各々は、前記壁の内側と連通して、流体が前記壁の内側上に流れるのを可能にし、
少なくとも１本の前記ブラシは、前記壁の内側に沿って動くよう構成され、前記壁の内側に対して流体にブラシをかけ、流体が少なくとも１つの前記チャネルを流れ落ちるときに流体膜を生成し、
少なくとも１つの前記スプレーノズルは、前記システムからごみを洗浄するよう構成される、システム。
【請求項４９】
少なくとも１つの前記スプレーノズルは、少なくとも１セットのスプレーノズルを備える、請求項４８に記載のシステム。
【請求項５０】
少なくとも１つの前記スプレーノズルは、少なくとも１本の前記ブラシの全長にスプレーするよう構成される、請求項４８に記載のシステム。
【請求項５１】
少なくとも１つの前記スプレーノズルは、流体によって残されたごみを洗浄するよう構成される、請求項４８に記載のシステム。
【請求項５２】
少なくとも１つの前記スプレーノズルは、約５〜１０セットのスプレーノズルを備える、請求項４８に記載のシステム。
【請求項５３】
少なくとも１本の前記ブラシからごみを洗浄するのを容易にするために、少なくとも１本の前記ブラシを、前記システムの中心軸の周りに回転させるよう構成される、請求項４８に記載のシステム。
【請求項５４】
少なくとも１つの前記スプレーノズルは、少なくとも１本の前記ブラシからごみを洗浄するのを容易にするために、少なくとも１本の前記ブラシが回転する間に静止するよう構成される、請求項５３に記載のシステム。
【請求項５５】
少なくとも１つの前記スプレーノズルと縦に並べて使用されるよう構成された、少なくとも１つの第２のスプレーノズルをさらに備える、請求項４８に記載のシステム。
【請求項５６】
少なくとも１つの前記スプレーノズルは静止したままとなるよう構成され、少なくとも１つの前記第２のスプレーノズルは、前記システム内で回転するよう構成される、請求項５５に記載のシステム。
【請求項５７】
少なくとも１つの前記スプレーノズルは、前記壁の内側から、少なくとも１本の前記ブラシにスプレーするよう構成される、請求項４８に記載のシステム。
【請求項５８】
少なくとも１つの前記紫外線ランプは、第２の内壁の背後に位置するよう構成され、少なくとも１つの前記スプレーノズルは、前記第２の内壁にあり、かつ少なくとも１本の前記ブラシをスプレーするよう構成される、請求項４８に記載のシステム。
【請求項５９】
洗浄流体が前記システムの中に入るのを可能にするよう構成された、第１のポートと、前記第１のポート及び少なくとも１つの前記スプレーノズルに接続された、少なくとも１つのダクトと、をさらに備え、それによって、洗浄流体が前記第１のポートから少なくとも１つの前記スプレーノズルへ流れるのを可能にするよう構成される、請求項４８に記載のシステム。
【請求項６０】
少なくとも１セットの前記スプレーノズルは、前記壁の内側から約４５°で、前記壁の内側に設置され得る、請求項４９に記載のシステム。
【請求項６１】
少なくとも１セットの前記スプレーノズルの各々は、互いから概ね９０°となるよう構成されるよう設置され得る、請求項６０に記載のシステム。
【請求項６２】
少なくとも１つの前記スプレーノズル、前記第１のポート、及び少なくとも１つの前記ダクトは、前記システムから取り外し可能に構成され、それによってそれらは、前記システムの洗浄中は存在し、前記システムによる流体処理中は前記システムから外される、請求項５９に記載のシステム。
【請求項６３】
少なくとも１つの前記スプレーノズル、前記第１のポート、及び少なくとも１つの前記ダクトは、洗浄中及び前記システムによる流体処理中に、前記システム内に残るよう構成される、請求項５９に記載のシステム。
【請求項６４】
少なくとも１つの前記紫外線ランプは、冷却流体が少なくとも１つの前記紫外線ランプを取り囲むのを可能にするよう構成された容器によって、囲まれ得る、請求項４８に記載のシステム。
【請求項６５】
前記容器は、前記冷却流体が前記システムを流入流出するのを可能にし、少なくとも１つの前記紫外線ランプに一定の冷却をもたらす、請求項６４に記載のシステム。
【請求項６６】
前記冷却流体は、紫外線光が透過できる流体から成る、請求項６４に記載のシステム。
【請求項６７】
前記冷却流体は、水、脱イオン水、オイル、及び溶媒のうちの少なくとも１つであってよい、請求項６４に記載のシステム。
【請求項６８】
前記容器は、前記冷却流体を保持している間、紫外線光を透過させ得る、請求項６４に記載のシステム。
【請求項６９】
前記容器は、石英及びＴｅｆｌｏｎ（登録商標）のうちの少なくとも一方から成る、請求項６４に記載のシステム。
【請求項７０】
前記冷却流体は、少なくとも１つの前記紫外線ランプから粒子を取り除くようさらに構成される、請求項６４に記載のシステム。
【請求項７１】
前記乱流機構のセットは、各対のプレート間に流体フローチャネルを形成するようさらに構成される、請求項２に記載のシステム。
【請求項７２】
プロセス流体が前記流体入口から、前記流体フローチャネルを介して、流体出口を出るのを可能にするよう構成される、請求項７１に記載のシステム。
【請求項７３】
前記乱流機構のセットにおける各前記プレートは、プロセス流体が沿って流れるよう構成された壁をさらに備え、さらに前記壁は透明な物質から成る、請求項２に記載のシステム。
【請求項７４】
前記壁は、石英、Ｔｅｆｌｏｎ（登録商標）、及び同等の材料のうち少なくとも１つから成る、請求項７２に記載のシステム。
【請求項７５】
薄い流体厚は約０．１ミリメートル未満である、請求項１に記載のシステム。
【請求項７６】
薄い流体厚は約１ミリメートル未満である、請求項１に記載のシステム。
【請求項７７】
第１の紫外線ランプから生成された紫外線光が、前記第１の紫外線ランプに隣接しない１対のプレートによって形成された前記流体フローチャネルを透過し得るよう構成される、請求項７１に記載のシステム。
【請求項７８】
前記システムの構成は、重複する流体フローによって、流体フローチャネルの長さに対して小さい設置面積をもたらす、請求項１に記載のシステム。
【請求項７９】
各対の前記プレートの各前記プレートは重複し、流体フローチャネルを形成する、請求項２に記載のシステム。
【請求項８０】
各前記プレートは、少なくとも１つのガスケットをさらに備え、前記ガスケットは前記プレートの中に延び、流体の通路を、流体フローチャネルを通して長くするよう構成される、請求項２に記載のシステム。
【請求項８１】
少なくとも１つの前記ガスケットは、約０．０１０〜約１．０インチの厚さを有する、請求項８０に記載のシステム。
【請求項８２】
各前記プレートは、各対の前記プレート間の空間によって形成された、ある長さのフローチャネルに流体が出入りするための、２つのポートをさらに備え得る、請求項２に記載のシステム。
【請求項８３】
２つのポートの各々は、前記システムを通る流体フローの所望の方向に依拠して、入口または出口としてさらに構成され得る、請求項８１に記載のシステム。
【請求項８４】
紫外線光を使用してプロセス流体を処理するシステムであって、
流体を前記システムに提供するよう構成された、流体入口と、
薄い流体厚を生成するよう構成された、乱流機構と、
少なくとも１つの紫外線ランプと
を備え、
前記乱流機構は、内部シリンダ及び外部シリンダを備え、
前記内部シリンダ及び前記外部シリンダは、互いに対して回転するよう構成され得る、システム。
【請求項８５】
前記内部シリンダ及び前記外部シリンダは、それらの間に薄い流体膜を生成するようさらに構成される、請求項８４に記載のシステム。
【請求項８６】
前記薄い流体膜に生成された流体厚さは、約０．０１〜約１．０インチである、請求項８５に記載のシステム。
【請求項８７】
前記内部シリンダ及び前記外部シリンダのうちの一方は、静止したままで構成され、前記内部シリンダ及び前記外部シリンダのうちの他方は、静止したままで構成された一方のシリンダに対して回転するよう構成される、請求項８４に記載のシステム。
【請求項８８】
少なくとも１つの前記紫外線ランプは、前記内部シリンダの内側に構成される、請求項８４に記載の方法。
【請求項８９】
少なくとも１つの前記紫外線光は、前記外部シリンダの外側に構成される、請求項８４に記載の方法。
【請求項９０】
前記内部シリンダ及び前記外部シリンダは、前記紫外線光が前記内部シリンダ及び前記外部シリンダを透過できるよう成された材料で構成される、請求項８４に記載のシステム。
【請求項９１】
前記内部シリンダ及び前記外部シリンダは、石英及びＴｅｆｌｏｎ（登録商標）のうちの少なくとも一方で構成される、請求項８４に記載のシステム。
【請求項９２】
流体を前記システムから出すよう構成された出口をさらに備える、請求項８４に記載のシステム。
【請求項９３】
前記内部シリンダの外壁、及び前記外部シリンダの内壁のうち少なくとも一方は、平滑となるよう構成される、請求項８５に記載のシステム。
【請求項９４】
前記内部シリンダの外壁、及び前記外部シリンダの内壁のうち少なくとも一方は、粗面となるよう構成される、請求項８５に記載のシステム。
【請求項９５】
回転速度は、約５〜約５０フィート／秒であってよい、請求項８４に記載のシステム。
【請求項９６】
プロセス流体を囲むよう構成される、請求項８４に記載のシステム。
【手続補正３】
【補正対象書類名】図面
【補正対象項目名】全図
【補正方法】変更
【補正の内容】
【図１】
2021532951.tif 000014
【図２】
2021532951.tif 000015
【図３】
2021532951.tif 000016
【図４】
2021532951.tif 000017
【図５】
2021532951.tif 000018
【図６】
2021532951.tif 000019
【図７】
2021532951.tif 000020
【図８】
2021532951.tif 000021
【図９】
2021532951.tif 000022
【図１０】
2021532951.tif 000023
【図１１】
2021532951.tif 000024
【国際調査報告】
2021532951.tif 000025